(57)【特許請求の範囲】
【請求項１】
映像信号の階調値に従って映像表示を行う第１の階調電圧の映像部分と、単色画像信号の階調値に従って単色表示を行う第２の階調電圧の単色画像部分とを含む単位周期期間が繰り返される単色画像挿入映像信号を表示パネルに供給し、前記表示パネルに対して映像表示走査の任意のタイミングにて単色画像表示走査を挿入開始する単色画像挿入駆動による表示駆動制御を行う表示パネルの制御装置であって、
前記第１、第２の各階調電圧間の変化量が増大するように、前記映像信号の階調値に第１の補正を行う第１の補正手段と、
前記映像信号の階調値が一の単位フレーム周期期間から他の単位フレーム周期期間に変化する際に、前記第１、第２の各階調電圧間の変化量を増大するように、前記第１の補正にて補正された前記映像信号の階調値及び前記単色画像信号の階調値のいずれか一方又は双方に第２の補正を行う第２の補正手段と、
前記第１の補正又は前記第２の補正を行った前記映像部分と前記単色画像部分とを含む前記単色画像挿入映像信号、又は、前記第１の補正を行った前記映像部分と前記第２の補正を行った前記単色画像部分とを含む前記単色画像挿入映像信号を生成し、前記表示パネルの単色画像挿入駆動による表示駆動を制御する単色画像挿入駆動制御手段と、
を含むこと特徴とする表示パネルの制御装置。
【請求項２】
請求項１に記載の表示パネルの制御装置において、
前記第２の補正手段は、
前記一の単位フレーム周期期間の映像信号の階調値に基づいて、前記他の単位フレーム周期期間の映像信号の階調値を補正し、前記第１の補正にて補正された階調値に対応する第３の階調電圧と異なる第４の階調電圧にて前記映像部分の表示駆動を可能とするものであって、表示変化中の前記他の単位フレーム周期期間における輝度の時間積分値を、表示変化後のさらに他の前記単位フレーム周期期間における輝度の時間積分値より大きくなるように、前記階調値を補正するものであり、
前記単色画像挿入駆動制御手段は、
前記第３の階調電圧又は前記第４の階調電圧の前記映像部分と前記第２の階調電圧の単色画像部分とを含む前記単色画像挿入映像信号に基づいて、前記単色画像挿入駆動の制御を行うものであることを特徴とする表示パネルの制御装置。
【請求項３】
請求項１に記載の表示パネルの制御装置において、
前記第２の補正手段は、
前記一の単位フレーム周期期間の映像信号の階調値に基づいて、該一の単位フレーム周期期間の映像信号の後の単色画像信号の階調値を補正し、前記第２の階調電圧と異なる第５の階調電圧にて前記単色画像部分の表示駆動を可能とするものであり、
前記単色画像挿入駆動制御手段は、
前記第１の補正にて補正された階調値に対応する第３の階調電圧の前記映像部分と前記第５の階調電圧の前記単色画像部分とを含む前記単色画像挿入映像信号に基づいて、前記単色画像挿入駆動の制御を行うものであることを特徴とする表示パネルの制御装置。
【請求項４】
請求項２に記載の表示パネルの制御装置において、
単位フレーム周期期間における前記映像信号に対する前記単色画像信号の挿入比率を、動作環境に応じて設定可能な単色画像挿入比率設定手段をさらに有し、
前記第２の補正手段は、
前記単色画像挿入比率設定手段にて設定された挿入比率に応じた階調値の補正を行うものであることを特徴とする表示パネルの制御装置。
【請求項５】
請求項４に記載の表示パネルの制御装置において、
前記第１の補正手段は、
前記単色画像挿入率設定手段にて設定された挿入比率に応じた階調値の補正を行うものであることを特徴とする表示パネルの制御装置。
【請求項６】
請求項５に記載の表示パネルの制御装置において、
入力される映像信号に対して階調の解像度を増加して多階調化を行う多階調化手段をさらに有し、
前記第２の補正手段は、
前記多階調化手段にて多階調化された階調値にて補正を行うものであることを特徴とする表示パネルの制御装置。
【請求項７】
請求項６に記載の表示パネルの制御装置において、
前記第１の補正手段は、
前記多階調化手段にて多階調化された階調値にて補正を行うものであることを特徴とする表示パネルの制御装置。  
【請求項８】
請求項２に記載の表示パネルの制御装置において、
前記表示パネルは、ノーマリブラックモードの液晶表示パネルを含み、
前記第１の補正手段は、
前記第３の階調電圧を前記第１の階調電圧より大きくなるように前記映像信号の階調値を補正し、
前記第２の補正手段は、
前記第４の階調電圧を前記第３の階調電圧より大きくなるように前記映像信号の階調値を補正するものであることを特徴とする表示パネルの制御装置。
【請求項９】
請求項２に記載の表示パネルの制御装置において、
前記表示パネルは、ノーマリホワイトモードの液晶表示パネルを含み、
前記第１の補正手段は、
前記第３の階調電圧を前記第１の階調電圧より小さくなるように前記映像信号の階調値を補正し、
前記第２の補正手段は、
前記第４の階調電圧を前記第３の階調電圧より小さくなるように前記映像信号の階調値を補正するものであることを特徴とする表示パネルの制御装置。
【請求項１０】
請求項３に記載の表示パネルの制御装置において、
前記表示パネルは、ノーマリブラックモードの液晶表示パネルを含み、
前記第２の補正手段は、
前記第５の階調電圧を前記第２の階調電圧より小さくなるように前記単色画像信号の階調値を補正するものであることを特徴とする表示パネルの制御装置。
【請求項１１】
請求項３に記載の表示パネルの制御装置において、
前記表示パネルは、ノーマリホワイトモードの液晶表示パネルを含み、
前記第２の補正手段は、
前記第５の階調電圧を前記第２の階調電圧より大きくなるように前記単色画像信号の階調値を補正するものであることを特徴とする表示パネルの制御装置。
【請求項１２】
請求項１乃至１１のうちいずれか一項に記載の表示パネルの制御装置において、
前記映像表示の各階調において前記表示パネルに印加する電圧を、透過率ピークとなる電圧を越す電圧として印加可能なオーバーシュート用電源部をさらに有することを特徴とする表示パネルの制御装置。
【請求項１３】
請求項１乃至１２のうちいずれか一項に記載の表示パネルの制御装置と、
複数のゲート線及び複数のソース線がそれぞれ交差し格子状に配置されこのゲート線とソース線との交点それぞれに画素が形成された構成の表示パネルと、
映像部分と単色画像部分とが交互に含まれた単色画像挿入映像信号を、各ソース線に供給するソース線駆動手段と、
前記単色画像挿入映像信号の映像部分のみを前記画素に書き込ませる映像表示用ゲートオン信号を前記各ゲート線に対して順次供給して映像表示走査を実行する映像表示走査実行機能と、前記単色画像挿入映像信号の単色画像部分のみを前記画素に書き込ませる単色表示用ゲートオン信号を前記各ゲート線に対して順次供給し単色画像表示走査を実行する単色画像表示走査実行機能とを備えたゲート線駆動手段と、
が同一基板上に集積形成されたことを特徴とする液晶表示装置。
【請求項１４】
請求項１３に記載の液晶表示装置を備えた電子機器
【請求項１５】
映像信号の階調値に従って映像表示を行う第１の階調電圧の映像部分と、単色画像信号の階調値に従って単色表示を行う第２の階調電圧の単色画像部分とを含む単位周期期間が繰り返される単色画像挿入映像信号を表示パネルに供給し、前記表示パネルに対して映像表示走査の任意のタイミングにて単色画像表示走査を挿入開始する単色画像挿入駆動による表示駆動制御を行う表示装置の駆動方法であって、
前記第１、第２の各階調電圧間の変化量が増大するように、前記映像信号の階調値に第１の補正を行う第１の補正ステップと、
前記映像信号の階調値が一の単位フレーム周期期間から他の単位フレーム周期期間に変化する際に、前記第１、第２の各階調電圧間の変化量を増大するように、前記第１の補正にて補正された前記映像信号の階調値及び前記単色画像信号の階調値のいずれか一方又は双方に第２の補正を行う第２の補正ステップと、
前記第１の補正又は前記第２の補正を行った前記映像部分と前記単色画像部分とを含む前記単色画像挿入映像信号、又は、前記第１の補正を行った前記映像部分と前記第２の補正を行った前記単色画像部分とを含む前記単色画像挿入映像信号を生成し、前記表示パネルの単色画像挿入駆動による表示駆動を制御する単色画像挿入駆動制御ステップと、
を含むこと特徴とする表示装置の駆動方法。
【請求項１６】
請求項１５に記載の表示装置の駆動方法において、
前記第２の補正ステップでは、
前記一の単位フレーム周期期間の映像信号の階調値に基づいて、前記他の単位フレーム周期期間の映像信号の階調値を補正し、前記第１の補正にて補正された階調値に対応する第３の階調電圧と異なる第４の階調電圧にて前記映像部分の表示駆動を可能とするものであって、表示変化中の前記他の単位フレーム周期期間における輝度の時間積分値を、表示変化後のさらに他の前記単位フレーム周期期間における輝度の時間積分値より大きくなるように、前記階調値を補正し、
前記単色画像挿入駆動制御ステップでは、
前記第３の階調電圧又は前記第４の階調電圧の前記映像部分と前記第２の階調電圧の単色画像部分とを含む前記単色画像挿入映像信号に基づいて、前記単色画像挿入駆動の制御を行うことを特徴とする表示装置の駆動方法。
【請求項１７】
請求項１５に記載の表示装置の駆動方法において、
前記第２の補正ステップでは、
前記一の単位フレーム周期期間の映像信号の階調値に基づいて、該一の単位フレーム周期期間の映像信号の後の単色画像信号の階調値を補正し、前記第２の階調電圧と異なる第５の階調電圧にて前記単色画像部分の表示駆動を可能とし、
前記単色画像挿入駆動制御ステップでは、
前記第１の補正にて補正された階調値に対応する第３の階調電圧の前記映像部分と前記第５の階調電圧の前記単色画像部分とを含む前記単色画像挿入映像信号に基づいて、前記単色画像挿入駆動の制御を行うものであることを特徴とする表示装置の駆動方法。
【請求項１８】
請求項１６に記載の表示装置の駆動方法において、
単位フレーム周期期間における前記映像信号に対する前記単色画像信号の挿入比率を、動作環境に応じて設定可能な単色画像挿入比率設定ステップをさらに有し、
前記第２の補正ステップでは、
前記単色画像挿入比率設定ステップにて設定された挿入比率に応じた階調値の補正を行うことを特徴とする表示装置の駆動方法。
【請求項１９】
請求項１８に記載の表示装置の駆動方法において、
前記第１の補正ステップでは、
前記単色画像挿入率設定ステップにて設定された挿入比率に応じた階調値の補正を行うことを特徴とする表示装置の駆動方法。
【請求項２０】
請求項１６に記載の表示装置の駆動方法において、
前記第２の補正ステップでは、
入力される映像信号に対して階調の解像度を増加して多階調化を行い、この多階調化された階調値にて補正を行うことを特徴とする表示装置の駆動方法。
【請求項２１】
請求項１６に記載の表示装置の駆動方法において、
前記第１の補正ステップでは、
入力される映像信号に対して階調の解像度を増加して多階調化を行い、この多階調化された階調値にて補正を行うことを特徴とする表示装置の駆動方法。
【請求項２２】
映像信号の階調値に従って映像表示を行う第１の階調電圧の映像部分と、単色画像信号の階調値に従って単色表示を行う第２の階調電圧の単色画像部分とを含む単位周期期間が繰り返される単色画像挿入映像信号を表示パネルに供給し、前記表示パネルに対して映像表示走査の任意のタイミングにて単色画像表示走査を挿入開始する単色画像挿入駆動による表示駆動制御を行う表示パネルの制御装置に備えられたコンピュータが実行可能な制御プログラムであって、
前記第１、第２の各階調電圧間の変化量が増大するように、前記映像信号の階調値に第１の補正を行う第１の補正機能と、
前記映像信号の階調値が一の単位フレーム周期期間から他の単位フレーム周期期間に変化する際に、前記第１、第２の各階調電圧間の変化量を増大するように、前記第１の補正にて補正された前記映像信号の階調値及び前記単色画像信号の階調値のいずれか一方又は双方に第２の補正を行う第２の補正機能と、
前記第１の補正又は前記第２の補正を行った前記映像部分と前記単色画像部分とを含む前記単色画像挿入映像信号、又は、前記第１の補正を行った前記映像部分と前記第２の補正を行った前記単色画像部分とを含む前記単色画像挿入映像信号を生成し、前記表示パネルの単色画像挿入駆動による表示駆動を制御する単色画像挿入駆動制御機能と、
を含む機能をコンピュータに実行させることを特徴とする制御プログラム。
【発明の詳細な説明】
【技術分野】
【０００１】
本発明は、表示パネルの制御装置、液晶表示装置、電子機器、表示装置の駆動方法、及び制御プログラムに関する。
【背景技術】
【０００２】
ホールド型表示装置は、フレーム期間内で画像を静止画として保持するとともに、１フレーム毎に画面を切り換えて動画を表示する。ホールド型表示装置での動画表示では、フレームからフレームにかけて静止画が切れ目無く切り換わる。このため、動画表示に追従して視線が動く人間には、ホールドされ静止した画像がずれた状態で重ねあわされた画像を知覚し動画ボケとして認識する。
【０００３】
このようなホールド型表示装置の一例である液晶表示装置において、動画ボケを改善するために、フレーム期間の映像表示に黒表示を挿入して駆動を行う黒挿入駆動の提案がなされている。
【０００４】
液晶表示装置における黒挿入駆動では、１フレーム期間内に映像表示期間と黒表示期間を設けて、液晶表示パネルの画素に映像信号に続けて黒表示信号を書き込むために、パネル書き込み周波数を増やす必要があり、液晶の保持時間が減ることになる。
【０００５】
このため、例えば特許文献１に記載されるように、サブフレーム毎に黒と映像が交互に繰り返す黒挿入駆動において、オーバーシュート駆動を行うことによって応答速度を早める提案がなされている。
【０００６】
特許文献１の液晶表示装置では、映像信号をフレーム周波数変換手段によりＮ倍速変換した後に、黒挿入手段により黒表示信号を挿入し、その後、強調変換手段により強調変換（オーバーシュート）に必要な情報をＯＳ（オーバーシュート）テーブルメモリから取得して映像信号に強調変換処理を行うものである。
【０００７】
この強調変換処理では、映像信号に続けて黒表示信号の書き込みを行う場合、黒表示期間内に液晶が実際に到達可能な（黒表示の）階調輝度を考慮した強調変換パラメータを用いて、映像信号に強調変換処理（オーバーシュート駆動）を施し（段落番号００７４）、黒表示期間内に液晶が完全に黒階調（０階調）まで応答到達しない場合であっても、実際の最終到達階調（０階調）に基づいて、後続の映像表示期間に表示画像データに対し強調変換処理を行うこともできる。
すなわち、特許文献１では、一つのＯＳテーブルメモリに基づいて強調変換処理（オーバーシュート）を行い、一のフレーム期間中に黒信号の階調値が応答未達であったとしても、次のフレームにおいて、映像信号にオーバーシュートさせる量を元来のオーバーシュートさせる量である１１８階調から７０階調に下方調整することで（特許文献１の図１４及び図１８）、画素の白化を防止するものである。
【特許文献１】特開２００４−２５３８２７号公報
【発明の開示】
【発明が解決しようとする課題】
【０００８】
しかしながら、特許文献１の液晶表示装置において、黒挿入駆動において映像信号に通常のオーバーシュート（強度調整）を行ったとしても、一のフレームと他のフレームとで映像信号の階調値（階調電圧）に差が生じると、液晶の応答遅延により、他のフレームにおける映像表示期間中に所望の輝度に到達せず、図４７に示すように、映像表示には、段差状の尾引きや、文字のスクロール表示でのゴーストが発生し、画質に悪影響が発生する、という改善すべき点があった。
特に、特許文献１では、映像信号の階調値の応答未達については、通常のオーバーシュートによる強調調整を行うこと以外には考慮されていないため、次のフレームにおいて映像信号の階調値が上がると所望の輝度（透過率）に到達せず、前記尾引きやゴーストが発生してしまう。
【０００９】
また、特許文献１では、所定の階調のオーバーシュート量を減らすことで、各フレーム毎の各階調電圧を等しくするようにしているが、黒表示の応答未達（黒表示の沈み込み不足）は改善されておらず、黒表示期間（サブフレーム期間）内に輝度（透過率）が完全に黒階調（０階調）にまで応答到達しない（特許文献１の図１４、図１８など）ため、これによっても映像表示で段差状の尾引きが発生してしまう。
【００１０】
特に、各フレーム毎で映像表示における階調値（階調電圧）に差が生じると、黒表示の応答未達のみならず、図４７に示すように、黒表示において各フレーム毎で輝度（黒表示の沈み込み）に差が生じ、映像表示の際にゴーストなどが発生する、という改善すべき点があった。加えて、黒表示の沈み込みの差は、以降のフレームにおいても累積的に影響を与え、これに応じて映像表示の輝度が累積的に変化するため、前記尾引きや、文字のスクロール表示でのゴーストが発生する原因となっている。
【００１１】
さらに、各フレームの各映像表示における各輝度をほぼ等しくしたとしても、前記ゴースト状の尾引きは改善しない。
【００１２】
本発明は、上記した技術の改善すべき点を解決することを課題としてなされたものであって、その目的とするところは、黒挿入駆動を行う際に、映像表示において段差状の尾引きや、文字のスクロール表示でのゴーストの発生を防止可能な表示パネルの制御装置、液晶表示装置、電子機器、表示装置の駆動方法、及び制御プログラムを提供することにある。
【課題を解決するための手段】
【００１３】
上記目的は、主たる独立請求項に記載の特徴の組み合わせにより達成され、また、下位請求項は、発明の更なる有利な具体例を規定する。この発明の概要は、必要な特徴すべてを列挙しているものではなく、よってここには記載されない下位請求項並びにこれらの特徴群の下位結合（サブコンビネーション）も発明になり得る。
【００１４】
本発明の表示パネルの制御装置は、映像信号の階調値に従って映像表示を行う第１の階調電圧の映像部分と、単色画像信号の階調値に従って単色表示を行う第２の階調電圧の単色画像部分とを含む単位周期期間が繰り返される単色画像挿入映像信号を表示パネルに供給し、前記表示パネルに対して映像表示走査の任意のタイミングにて単色画像表示走査を挿入開始する単色画像挿入駆動による表示駆動制御を行う表示パネルの制御装置であって、前記第１、第２の各階調電圧間の変化量が増大するように、前記映像信号の階調値に第１の補正を行う第１の補正手段と、前記映像信号の階調値が一の単位フレーム周期期間から他の単位フレーム周期期間に変化する際に、前記第１、第２の各階調電圧間の変化量を増大するように、前記第１の補正にて補正された前記映像信号の階調値及び前記単色画像信号の階調値のいずれか一方又は双方に第２の補正を行う第２の補正手段と、前記第１の補正又は前記第２の補正を行った前記映像部分と前記単色画像部分とを含む前記単色画像挿入映像信号、又は、前記第１の補正を行った前記映像部分と前記第２の補正を行った前記単色画像部分とを含む前記単色画像挿入映像信号を生成し、前記表示パネルの単色画像挿入駆動による表示駆動を制御する単色画像挿入駆動制御手段と、を含むこと特徴としている。
【００１５】
本発明の表示装置の駆動方法は、映像信号の階調値に従って映像表示を行う第１の階調電圧の映像部分と、単色画像信号の階調値に従って単色表示を行う第２の階調電圧の単色画像部分とを含む単位周期期間が繰り返される単色画像挿入映像信号を表示パネルに供給し、前記表示パネルに対して映像表示走査の任意のタイミングにて単色画像表示走査を挿入開始する単色画像挿入駆動による表示駆動制御を行う表示装置の駆動方法であって、前記第１、第２の各階調電圧間の変化量が増大するように、前記映像信号の階調値に第１の補正を行う第１の補正ステップと、前記映像信号の階調値が一の単位フレーム周期期間から他の単位フレーム周期期間に変化する際に、前記第１、第２の各階調電圧間の変化量を増大するように、前記第１の補正にて補正された前記映像信号の階調値及び前記単色画像信号の階調値のいずれか一方又は双方に第２の補正を行う第２の補正ステップと、前記第１の補正又は前記第２の補正を行った前記映像部分と前記単色画像部分とを含む前記単色画像挿入映像信号、又は、前記第１の補正を行った前記映像部分と前記第２の補正を行った前記単色画像部分とを含む前記単色画像挿入映像信号を生成し、前記表示パネルの単色画像挿入駆動による表示駆動を制御する単色画像挿入駆動制御ステップと、を含むこと特徴としている。
【００１６】
本発明の制御プログラムは、映像信号の階調値に従って映像表示を行う第１の階調電圧の映像部分と、単色画像信号の階調値に従って単色表示を行う第２の階調電圧の単色画像部分とを含む単位周期期間が繰り返される単色画像挿入映像信号を表示パネルに供給し、前記表示パネルに対して映像表示走査の任意のタイミングにて単色画像表示走査を挿入開始する単色画像挿入駆動による表示駆動制御を行う表示パネルの制御装置に備えられたコンピュータが実行可能な制御プログラムであって、前記第１、第２の各階調電圧間の変化量が増大するように、前記映像信号の階調値に第１の補正を行う第１の補正機能と、前記映像信号の階調値が一の単位フレーム周期期間から他の単位フレーム周期期間に変化する際に、前記第１、第２の各階調電圧間の変化量を増大するように、前記第１の補正にて補正された前記映像信号の階調値及び前記単色画像信号の階調値のいずれか一方又は双方に第２の補正を行う第２の補正機能と、前記第１の補正又は前記第２の補正を行った前記映像部分と前記単色画像部分とを含む前記単色画像挿入映像信号、又は、前記第１の補正を行った前記映像部分と前記第２の補正を行った前記単色画像部分とを含む前記単色画像挿入映像信号を生成し、前記表示パネルの単色画像挿入駆動による表示駆動を制御する単色画像挿入駆動制御機能と、を含む機能をコンピュータに実行させることを特徴としている。
【００１７】
本発明の作用及び他の利得は、以下に説明する「発明を実施するための最良の形態」から明らかにされる。
【発明の効果】
【００１８】
本発明によれば、単色画像挿入駆動において単色画像信号を挿入する前に、映像信号の階調値を第１の補正手段により補正し、単位フレーム周期期間毎に映像信号の階調値が変化する場合には、さらに第２の補正手段により映像信号の階調値又は単色画像表示信号の階調値を補正した上で、単色画像挿入駆動を行うので、累積的な輝度の変化に起因する段差状の尾引きや、文字のスクロール表示でのゴーストの発生を防止できる。
【発明を実施するための最良の形態】
【００１９】
以下に説明する内容は、特許請求の範囲に記載された本発明の内容を不当に限定するものではない。また、説明される構成の全てが本発明の必須構成要件であるとは限らない。
【００２０】
〔表示パネルの制御装置の基本的構成〕
先ず、表示パネルの制御装置の基本的構成について説明する。本発明の表示パネルの制御装置（例えば図１に示す符号２０）は、映像信号の階調値に従って映像表示を行う第１の階調電圧の映像部分と、単色画像信号の階調値に従って単色表示を行う第２の階調電圧の単色画像部分とを含む単位周期期間（例えばフレーム周期など）が繰り返される単色画像挿入映像信号を表示パネルに供給し、前記表示パネルに対して映像表示走査の任意のタイミングにて単色画像表示走査を挿入開始する単色画像挿入駆動による表示駆動制御を行うものを対象とするものである。
【００２１】
前記表示パネルの制御装置は、基本的構成として、第１の補正手段（例えば図１に示す符号３２、３４からなる構成）、第２の補正手段（例えば図１に示す符号４０や図２５に示す符号６０など）、単色画像挿入駆動制御手段（例えば図１に示す符号２４など）、を含む構成としている。
【００２２】
この第１の補正手段は、前記第２の階調電圧から前記第１の階調電圧へ変化する際の前記表示パネルの応答遅延を考慮して、前記第１、第２の各階調電圧間の変化量が増大するように、前記映像信号の階調値に第１の補正を行うものである（第１のオーバーシュート駆動）。
【００２３】
上述の第２の補正手段は、前記映像信号の階調値が一の単位フレーム周期期間から他の単位フレーム周期期間に変化する際に、異なる各単位フレーム周期期間の各前記単色画像部分による各々の単色表示輝度の差に起因する前記映像部分の累積的な輝度到達遅延を考慮して、前記第１、第２の各階調電圧間の変化量を増大するように、前記第１の補正にて補正された前記映像信号の階調値及び前記単色画像信号の階調値のいずれか一方又は双方に第２の補正を行うものである（第２のオーバーシュート駆動又は第３のオーバーシュート駆動）。
【００２４】
上述の単色画像挿入駆動制御手段は、前記第１の補正又は前記第２の補正を行った前記映像部分と前記単色画像部分とを含む前記単色画像挿入映像信号、又は、前記第１の補正を行った前記映像部分と前記第２の補正を行った前記単色画像部分とを含む前記単色画像挿入映像信号を生成し、前記表示パネルの単色画像挿入駆動による表示駆動を制御する。
【００２５】
このような表示パネルの制御装置によれば、第１の補正手段により、単色表示から映像表示への応答遅れを現フレームの映像情報を元に補正し、比較的応答速度の遅い表示パネルに単色画像挿入を行う際の輝度低下を抑制できる。また、第２の補正手段により、前フレームの映像表示の後の単色表示の沈み込みと、現フレームの映像表示の後の単色表示の沈み込みの差により発生する累積的な輝度到達遅れを補正し、単色画像表示の沈み込み不足による段差状の尾引き、文字スクロールでのゴーストを改善できる。
【００２６】
ここで、「単位周期期間」は、フレーム周期であってもよいし、他の種々の単位周期例えば複数フレーム周期、サブフレーム、フィールド、サブフィールド、水平走査期間などであってもよい。また、「単位フレーム周期期間」は、フレーム周期であってもよいし、他の種々の単位周期例えばサブフレームであってもよい。さらに、「単位フレーム周期期間」は、「単位周期期間」と同一のフレーム周期であってもよいし、異なる単位であってもよい。
【００２７】
また、第２の補正手段は、前記一の単位フレーム周期期間（例えば一つ前のフレーム）の映像信号の階調値に基づいて、前記他の単位フレーム周期期間（例えば現在のフレーム）の映像信号の階調値を補正し、前記第１の補正にて補正された階調値に対応する第３の階調電圧と異なる第４の階調電圧にて前記映像部分の表示駆動を可能とするものであって、表示変化中の前記他の単位フレーム周期期間（例えば現在のフレーム）における輝度の時間積分値を、表示変化後のさらに他の前記単位フレーム周期期間（例えば次のフレーム）における輝度の時間積分値より大きくなるように（例えば図１７など）、前記階調値を補正することができる（第２のオーバーシュート駆動）。
【００２８】
この際、単色画像挿入駆動制御手段は、前記第３の階調電圧又は前記第４の階調電圧の前記映像部分と前記第２の階調電圧の単色画像部分とを含む前記単色画像挿入映像信号に基づいて、前記単色画像挿入駆動の制御を行うことができる。
【００２９】
このように第２の補正手段が、前フレームの映像信号に基づいて現フレームの映像信号を補正して、映像表示の応答速度を補正することにより累積的な輝度到達遅れを防止でき、段差状の尾引き、文字スクロールでのゴーストを改善可能としている。
【００３０】
さらに、前記第２の補正手段は、前記一の単位フレーム周期期間の映像信号の階調値に基づいて、該一の単位フレーム周期期間の映像信号の後の単色画像信号の階調値を補正し、前記第２の階調電圧と異なる第５の階調電圧にて前記単色画像部分の表示駆動を行うことができる（第３のオーバーシュート駆動）。
【００３１】
この際、単色画像挿入駆動制御手段は、前記第３の階調電圧の前記映像部分と前記第５の階調電圧の前記単色画像部分とを含む前記単色画像挿入映像信号に基づいて、前記単色画像挿入駆動の制御を行うことができる。
【００３２】
このように第３の補正手段が、前フレームの映像表示の階調値に基づいて、該前フレームの映像表示の後の単色表示の階調値を補正して、映像表示の応答速度を補正することにより累積的な輝度到達遅れを防止でき、段差状の尾引き、文字スクロールでのゴーストを改善可能としている。
【００３３】
このような作用及び他の利得は、次に説明する各実施の形態から更に明らかにされる。 
【００３４】
以下、本発明の「表示パネルの制御装置」を「液晶表示装置」に適用したさらに詳細な実施の形態の一例について、図面を参照して具体的に説明する。
〔第１の実施の形態〕
先ず、本実施の形態の液晶表示装置の具体的構成について、全体構成から説明し、続いて、コントローラの詳細構成、黒挿入駆動制御部の機能、全体の概略動作について説明することとする。
（液晶表示装置の全体構成）
本実施の形態の液晶表示装置の全体構成について、図１を参照しつつ説明する。図１は、本発明における第１実施の形態の液晶表示装置の全体構成の一例を示すブロック図である。
【００３５】
本実施の形態の液晶表示装置１は、黒挿入駆動において第１、第２のオーバーシュート駆動を行うことが可能なものであり、図１に示すように、液晶表示パネル１０、この液晶表示パネル１０の画素１２を駆動するゲートドライバ１４（１４―１〜１４−ｉ）、ソースドライバ１６（１６−１、・・以降省略）、オーバーシュート駆動用のオーバーシュート電源部１８、ゲートドライバ１４及びソースドライバ１６を制御するコントローラ２０、映像信号の映像情報を一時記憶するＦＭ（フレームメモリ）部４２、を含んで構成される。
【００３６】
本実施の形態では、液晶表示パネル１０は、ＩＰＳなどのノーマリーブラックのように、黒表示から白表示へのオーバーシュート駆動が容易なパネルとすることが好ましい。
【００３７】
ここで、液晶表示パネル１０のより具体的な構成について説明する。
本第１の実施の形態の液晶表示装置１は、図１に示すように、ｊ本（ｊは自然数）で１つのブロックをなすゲート線群がｉ個（ｉは自然数）構成されたゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）（これらをまとめてｉ×ｊ＝ｍ[ｍは自然数]本のゲート線Ｖ１〜Ｖｍとしてもよい）、及びｎ（ｎは自然数）本のソース線Ｈ１〜Ｈｎがそれぞれ交差し格子状に配置されこのゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）とソース線Ｈ１〜Ｈｎとの交差部それぞれに画素１２が形成された構成の表示パネル１０と、各ソース線Ｈ１〜Ｈｎに接続し映像信号を供給するソースドライバ１６（１６―１〜１６−ｋ）と、複数のゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）をｉ個の群に分けそのゲート線群それぞれに対して設けられ対応するゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）にゲートオン信号（Ｖｇ）を順次供給する複数のゲートドライバ１４（１４―１〜１４―ｉ）と、ソースドライバ１６にオーバーシュート駆動用の電源を供給するためのオーバーシュート用電源部１８と、を含んで構成される。
【００３８】
図１に示すように、第１群の上からｊ本のゲート線Ｖ（１―１）〜Ｖ（１―ｊ）は、ゲートドライバ１４―１（ゲートドライバ１）に接続され、第２群のｊ＋１本目からｊ＋ｊ本目のゲート線Ｖ（２―１）〜Ｖ（２―ｊ）は、ゲートドライバ１４―２に接続されており、最後の第ｉ群の｛（ｉ―１）ｊ＋１｝本目からｉ×ｊ本目までのゲート線Ｖ（ｉ―１）〜Ｖ（ｉ―ｊ）は、ゲートドライバ１４―ｉに接続されている｛２ｊ＋１本目から（ｉ―１）ｊ本目までについては図示せず｝。
【００３９】
本実施の形態における液晶表示パネル１０を形成する画素は、薄膜トランジスタ（ＴＦＴ）のソース電極がソース線Ｈ１〜Ｈｎに接続され、ＴＦＴのゲート電極がゲート線Ｖ（ｉ―１）〜Ｖ（ｉ―ｊ）に接続され、ＴＦＴのドレイン電極が一方のアレイ基板に形成されている画素電極に接続されており、一方のアレイ基板に形成された画素電極と他方の対向基板に形成された共通電極との間に液晶層が封止されている構成である。
【００４０】
表示パネル１０では、画素電極と共通電極との電位差により液晶層の光透過率が制御されて映像表示が行われるが、映像信号が画素に書き込まれるときには、ゲート線Ｖ（ｉ―１）〜Ｖ（ｉ―ｊ）を介して伝送されるゲートオン信号（Ｖｇ１〜Ｖｇｍ）がＴＦＴをオン状態にし、これによりソース線Ｈ１〜Ｈｎからの映像信号に応じた階調電圧が画素電極に印加されて、一定の電圧に設定されている共通電極と階調電圧が印加された画素電極との電位差によって液晶層の光透過率を制御し映像信号に基づいた映像表示を実現する。
【００４１】
（コントローラの詳細構成）
次に、コントローラの詳細構成について説明する。
コントローラ２０は、タイミングコントローラとしての機能を含むものであり、図１に示すように、黒挿入率設定部２２、第１のオーバーシュート駆動制御部３４、第１のオーバーシュート駆動制御に利用される第１ＬＵＴ（ルックアップテーブル）部３２、フレームメモリ通信制御部４４、第２のオーバーシュート駆動に利用される第２ＬＵＴ部４６、第２のオーバーシュート駆動制御部４８、フレーム変調制御を行うＦＲＣ（フレームレートコントロール）部２６、映像信号に黒信号を挿入して黒挿入駆動制御を行う黒挿入駆動制御部２４を含んで構成される。
ここで、ＦＭ（フレームメモリ）部４２、フレームメモリ通信制御部４４、第２ＬＵＴ部４６、第２のオーバーシュート駆動制御部４８により第２のオーバーシュート部４０ということもできる。
【００４２】
黒挿入率設定部２２は、１フレーム毎に順次入力される映像信号の１フレーム分の情報を一時記憶し、映像信号のうちの一のフレームの映像信号と一時記憶された１つ前のフレームの映像信号とを比較し、変化したデータ数に基づいて黒画像挿入率を設定する機能を備えている。この黒挿入率設定部２２の設定に基づいて、黒挿入駆動制御部２４が、各種信号を生成することとなる。
【００４３】
より詳細には、黒挿入率設定部２２は、現フレームデータｄａｔａ（ｎ）とその１つ前のフレームデータｄａｔａ（ｎ−１）とを比較し、変化したデータを１フレーム間カウントする。カウントした情報は例えば数フレーム間移動平均して平滑化し、閾値判別することで、静的な画像か動的な画像かを判別する機能を含むこともできる。
【００４４】
第１のオーバーシュート駆動制御部３４には、映像信号が入力される。第１のオーバーシュート駆動制御部３４は、黒挿入率設定部２２において定められた黒挿入率において予め設定された第１ＬＵＴ部３２の設定値に基づいて、入力された映像信号の階調値を、第１のオーバーシュート駆動用の階調値に補正し、映像信号（第１補正映像信号）を第２のオーバーシュート駆動部４８に供給する。
【００４５】
第１のオーバーシュート駆動制御部３４は、現フレームの映像情報に基づいて、黒表示（ないし所定の階調表示）から映像表示への応答遅れを補正する。この第１のオーバーシュート駆動制御部３４により、黒挿入駆動を行わない場合に比べ、映像信号を黒表示の電圧と離れるように補正した電圧値を、液晶表示パネル１０に入力することができる。
【００４６】
第１ＬＵＴ部３２は、第１のオーバーシュート駆動制御部３４にて補正される階調値の補正値を決定するものであり、複数のＬＵＴを含む。第１ＬＵＴ部３２のＬＵＴは、入力された映像信号に対応するオーバーシュート補正値が事前の計測によって定めてある。第１ＬＵＴ部３２のＬＵＴの一例としては、図２、図３に示すものが挙げられる。図２に示すＬＵＴでは、入力された映像信号が２４９階調の場合、黒挿入時の映像信号は２５３階調に変換される（第１の補正）。
【００４７】
また、第１ＬＵＴ部３２は、黒挿入率に応じた複数種類のＬＵＴを含む構成としている。そして、第１ＬＵＴ部３２は、黒挿入率設定部２２にて黒挿入率が変更された場合には、当該黒挿入率に対応したＬＵＴに適宜切替可能に構成してよい。これにより、黒挿入率設定部２２にて黒挿入率が変更された場合には、当該黒挿入率に対応したＬＵＴを第１のオーバーシュート駆動制御部３４にて適宜選択できる。
【００４８】
また、オーバーシュートにより階調の分解能が不足する場合は、ＦＲＣ部２６などの多階調表示手法により多階調化を行うのが好ましい。第１ＬＵＴ部３２のＬＵＴの一例である図３のＬＵＴでは、ＦＲＣ部２６により１０ｂｉｔに分解能を増やした場合に、利用されるＬＵＴの例が開示されている。  
【００４９】
さらに、図９乃至図１１に示すように、通常駆動で使う液晶表示パネルの電圧よりも大きなパネル印加電圧が必要となる場合には、階調電圧は、事前にオーバーシュート駆動で必要な電圧を調査しておき、備えておくのが好ましい。
【００５０】
第２のオーバーシュート部４０では、第１補正映像信号がフレームメモリ通信制御部４４を介してＦＭ（フレームメモリ）部４２に一時記憶され、ＦＭ部４２に一時記憶された前フレーム（ｎ―１）の映像信号（第１補正映像信号）と、第１のオーバーシュート駆動制御部３４からの現フレーム（ｎ）の映像信号（第１補正映像信号）を第２のオーバーシュート駆動制御部４８に供給する。
【００５１】
第２のオーバーシュート駆動制御部４８では、前フレーム（ｎ―１）の映像信号（第１補正映像信号）の映像情報（階調値）と、現フレーム（ｎ）の映像信号（第１補正映像信号）の映像情報（階調値）とを比較し、黒挿入率設定部２２にて設定された黒挿入率に対応する第２ＬＵＴ４６の設定値に基づいて、第２のオーバーシュート駆動用の階調値に補正し、第２補正映像信号としてＦＲＣ部２６に供給する。
【００５２】
第２のオーバーシュート駆動制御部４８は、前フレームの映像信号から現フレームの映像信号に基づいて、前フレームの映像表示後の所定の階調表示の沈み込みと、現フレームの映像表示後の所定の階調表示の沈み込みとの差により発生する累積的な輝度到達遅れを、現フレームの映像表示で補正する。また、前記第２のオーバーシュート駆動制御部４８は、前記映像表示の補正量を、目標輝度より過度に補正する。
【００５３】
第２のオーバーシュート駆動制御部４８は、前フレームの映像信号と現フレームの映像信号に変化があるときに、変化量に基づき、現フレームの映像信号を補正した電圧値を、液晶表示パネル１０に入力することができる。これらのオーバーシュートにより、到達目標とする階調の電圧レベルを超える電圧をかけることで、その階調に達する時間を短縮することもできる。
このようにして第１、第２のオーバーシュート駆動制御部３４、４８は、入力された映像信号に基づいて、黒挿入駆動時の補正量を各々決定する。
【００５４】
第２ＬＵＴ部４６は、第２のオーバーシュート駆動制御部４８にて補正される階調値の補正値を決定するものであり、複数のＬＵＴを含む。第２ＬＵＴ部４６のＬＵＴは、入力された前フレームの映像信号と、現フレームの映像情報に対応するオーバーシュート補正値が、事前の計測によって定めてあるものである。第２ＬＵＴ部４６のＬＵＴの一例としては、図４、図５に示すものが挙げられる。図４に示すＬＵＴでは、例えば、入力された前回のフレームの映像信号が３２階調、今回のフレームの映像信号が１９２階調の場合、黒挿入時の今回の映像信号は２１０階調に変換される（第２の補正）。
【００５５】
また、第２ＬＵＴ部４６は、黒挿入率に応じた複数種類のＬＵＴを含む構成としている。そして、第２ＬＵＴ部４６は、黒挿入率設定部２２にて黒挿入率が変更された場合には、当該黒挿入率に対応したＬＵＴに適宜切替可能に構成してよい。これにより、黒挿入率設定部２２にて黒挿入率が変更された場合には、当該黒挿入率に対応したＬＵＴを第２のオーバーシュート駆動制御部４８にて適宜選択できる。
【００５６】
また、オーバーシュートにより階調の分解能が不足する場合は、ＦＲＣ部２６などの多階調表示手法により多階調化を行うのが好ましい。第２ＬＵＴ部４６のＬＵＴの一例である図５のＬＵＴでは、ＦＲＣ部２６により１０ｂｉｔに分解能を増やした場合の例が開示されている。
【００５７】
ＦＲＣ部２６は、フレーム変調制御を行うことで、フレーム毎に異なる階調表示を行い時間平均により特定の階調（中間階調）を擬似的に生成する多階調化手段である。
ここで、本実施の形態ではＦＲＣ部２６を構成しているが、ＦＲＣ部２６がない構成であっても構わない。その場合、第２のオーバーシュート駆動制御部４８からの第２補正映像信号は、黒挿入駆動制御部２４に直接入力する。
【００５８】
黒挿入駆動制御部２４では、映像信号（第２補正映像信号）のライン間に黒信号を挿入し、各ソースドライバに入力する。
また、黒挿入駆動制御部２４では、黒信号の挿入された映像信号と共に、黒挿入率設定部２２において設定された黒挿入率に従ったタイミングで、ドライバの制御信号を生成し、各ゲートドライバ１４、各ソースドライバ１６に入力する。各ゲートドライバ１４、各ソースドライバ１６では、入力された制御信号に従い、階調電源１８で設定した電圧を液晶表示パネル１０に書き込む。
【００５９】
黒挿入駆動制御部２４は、前記第２のオーバーシュート駆動制御部４８からの映像信号（第２補正映像信号）に、特定の階調表示（例えば黒）を一定の割合で挿入し高速駆動を行う。
【００６０】
また、本実施の形態の液晶表示装置１においては、液晶表示パネル１０の画素１２に印加する電圧を通常より過大に印加できるオーバーシュート駆動用のオーバーシュート用電源部１８を用いて、オーバーシュート駆動のできない階調変化を減らすことができる。オーバーシュート用電源部１８は、映像表示の各階調において前記表示パネルに印加する電圧を、透過率ピークとなる電圧を越す電圧として印加可能である。
【００６１】
ここで、本実施の形態の構成要件と、本発明の構成要件との対応関係を述べると、本実施の形態の第１のオーバーシュート駆動制御部３４と第１ＬＵＴ部３２とで、本発明にいう「第１の補正手段」を構成できる。また、第２のオーバーシュート部４０により「第２の補正手段」を構成できる。さらに、黒挿入駆動制御部２４により「単色画像挿入駆動制御手段」を構成できる。また、黒挿入率設定部２２により「単色画像挿入比率設定手段」を構成できる。さらに、ＦＲＣ部２６により「多階調化手段」を構成できる。またさらに、ソースドライバ１６により「ソース線駆動手段」を構成できる。また、ゲートドライバ１４により「ゲート線駆動手段」を構成できる。
【００６２】
ここにおいて、「第１の補正手段」は、第２の階調電圧から前記第１の階調電圧へ変化する際の前記表示パネルの応答遅延を考慮して、前記第１、第２の各階調電圧間の変化量が増大するように、前記映像信号の階調値に第１の補正を行う。「第２の補正手段」は、前記映像信号の階調値が一の単位フレーム周期期間から他の単位フレーム周期期間に変化する際に、異なる各単位フレーム周期期間の各前記単色画像部分による各々の単色表示輝度の差に起因する前記映像部分の累積的な輝度到達遅延を考慮して、前記第１、第２の各階調電圧間の変化量を増大するように、前記第１の補正にて補正された前記映像信号の階調値及び前記単色画像信号の階調値のいずれか一方又は双方に第２の補正を行う。「単色画像挿入駆動制御手段」は、前記第１の補正又は前記第２の補正を行った前記映像部分と前記単色画像部分とを含む前記単色画像挿入映像信号、又は、前記第１の補正を行った前記映像部分と前記第２の補正を行った前記単色画像部分とを含む前記単色画像挿入映像信号を生成し、前記表示パネルの単色画像挿入駆動による表示駆動を制御する。
【００６３】
また、「第２の補正手段」が第２のオーバーシュート部として機能する場合は、前記一の単位フレーム周期期間の映像信号の階調値に基づいて、前記他の単位フレーム周期期間の映像信号の階調値を補正し、前記第１の補正にて補正された階調値に対応する第３の階調電圧と異なる第４の階調電圧にて前記映像部分の表示駆動を可能とするものであって、表示変化中の前記他の単位フレーム周期期間における輝度の時間積分値を、表示変化後のさらに他の前記単位フレーム周期期間における輝度の時間積分値より大きくなるように、前記階調値を補正するものである。この場合、「単色画像挿入駆動制御手段」は、前記第３の階調電圧又は前記第４の階調電圧の前記映像部分と前記第２の階調電圧の単色画像部分とを含む前記単色画像挿入映像信号に基づいて、前記単色画像挿入駆動の制御を行う。
【００６４】
さらに、「単色画像挿入比率設定手段」は、単位フレーム周期期間における前記映像信号に対する前記単色画像信号の挿入比率を、動作環境に応じて設定可能である。この場合、「第２の補正手段」は、前記単色画像挿入率設定手段にて設定された挿入比率に応じた階調値の補正を行うものである。「第１の補正手段」は、前記単色画像挿入率設定手段にて設定された挿入比率に応じた階調値の補正を行うものである。これによって、表示パネルのタイプに応じて単色画像挿入比率が決まるが、これに応じて第１の補正、第２の補正を行うことができる。
【００６５】
また、「多階調化手段」は、入力される映像信号に対して階調の解像度を増加して多階調化を行うものである。この際、「第２の補正手段」は、前記多階調化手段にて多階調化された階調値にて補正を行うものである。また、「第１の補正手段」は、前記多階調化手段にて多階調化された階調値にて補正を行うものである。
【００６６】
さらに、、ノーマリブラックモードの液晶表示パネルの場合には、第１の補正手段は、前記第３の階調電圧を前記第１の階調電圧より大きくなるように前記映像信号の階調値を補正し、前記第２の補正手段は、前記第４の階調電圧を前記第３の階調電圧より大きくなるように前記映像信号の階調値を補正するものである。
【００６７】
また、「ソース線駆動手段」は、映像部分と単色画像部分とが交互に含まれた単色画像挿入映像信号を、各ソース線に供給する。「ゲート線駆動手段」は、前記単色画像挿入映像信号の映像部分のみを前記画素に書き込ませる映像表示用ゲートオン信号を前記各ゲート線に対して順次供給して映像表示走査を実行する映像表示走査実行機能と、前記単色画像挿入映像信号の単色画像部分のみを前記画素に書き込ませる単色表示用ゲートオン信号を前記各ゲート線に対して順次供給し単色画像表示走査を実行する単色画像表示走査実行機能とを備えることができる。
【００６８】
（黒挿入駆動制御部の機能）
次に、黒挿入駆動制御部２４の機能について説明する。
本第１の実施の形態の液晶表示装置１のコントローラ２０は、ソースドライバ１６及びゲートドライバ１４―１〜１４―ｉの動作を制御して、黒挿入駆動の駆動制御を行う。
【００６９】
コントローラ２０の黒挿入駆動制御部２４は、入力映像信号に黒画像信号を挿入し映像信号部分と黒画像信号部分とを水平走査期間内に含む黒挿入映像信号を生成し、この黒挿入映像信号をソースドライバ１６へ出力するものである。
【００７０】
図１９に示すように、１フレーム期間は、ゲート線Ｖ１〜Ｖｍの数（ｍ）と同数分の書込み期間（水平走査期間）に分けられ、入力映像信号の書込み期間に対応する部分をライン画像部分（水平走査期間部分）とすると、黒挿入駆動制御部２４は、入力映像信号におけるライン画像部分の相互間に黒画像信号を挿入する機能を有している。
【００７１】
また、黒挿入駆動制御部は、入力映像信号におけるブランキング期間にも同様に黒画像信号を挿入する機能を有している。図１９では、黒挿入駆動制御部は、ブランキング期間にダミー信号の出力が無い入力映像信号に黒画像信号を挿入する場合を示している。
【００７２】
ソースドライバ１６は、黒挿入映像信号に従ってソース線Ｈ１〜Ｈｎにライン映像像部分と黒画像部分を交互に出力することでソース線駆動手段として機能している。
【００７３】
ここで、本第１の実施の形態では、黒挿入駆動制御部２４によって生成された黒挿入画像信号をソースドライバ１６が入力しソース線Ｈ１〜Ｈｎへ倍速駆動で出力するように構成している。
【００７４】
黒挿入駆動制御部２４は、ゲートドライバ１４（１４―１〜１４―ｉ）におけるゲート出力の開閉を制御するための出力イネーブル信号をゲートドライバ１４（１４―１〜１４―ｉ）へ個別に供給する機能を有している。具体的には、黒挿入映像信号のライン画像部分がソース線Ｈ１〜Ｈｎに供給されている期間のみゲートオン信号の出力を有効にさせる映像表示用イネーブル信号（ＶＯＥ＿ｉ）、または、黒挿入映像信号の黒画像部分がソース線Ｈ１〜Ｈｎに供給されている期間のみゲートオン信号の出力を有効にさせる黒表示用イネーブル信号（ＶＯＥ＿ｂ）をゲートドライバ１４（１４―１〜１４―ｉ）へ個別に供給する機能を有している。
【００７５】
これにより、ゲートドライバ１４（１４―１〜１４―ｉ）のそれぞれは、接続されたゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）に対する出力を一括して制御できる機能を有する。
【００７６】
具体的には、黒挿入駆動制御部２４からのＶＯＥ＿ｉに応じてゲートオン信号を黒挿入映像信号のライン画像部分のみを画素に書き込ませるパルス幅の映像表示用ゲートオン信号にしてゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）に順次供給し映像表示走査を順次実行する映像表示手段としての機能と、ＶＯＥ＿ｂに応じてゲートオン信号を黒挿入映像信号の黒画像部分のみを画素に書き込ませるパルス幅の黒表示用ゲートオン信号にしてゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）に順次供給して黒画像表示走査を順次実行する黒表示手段としての機能とを有している。
【００７７】
また、黒挿入駆動制御部２４は、ゲートドライバ１４―１に対して、映像信号書込みのための映像表示用走査スタートパルス（ＶＳＰ＿ｉ）と、黒画像信号書込みのための黒表示用走査スタートパルス（ＶＳＰ＿ｂ）とを１フレーム期間に異なるタイミングで１回ずつ出力する機能を有している。黒挿入駆動制御部２４は、映像表示走査の開始時にＶＳＰ＿ｉをゲートドライバ１４―１へ出力し同時にゲートドライバ１４−１へＶＯＥ＿ｉの供給を開始する。そして、ゲートドライバ１２―１において映像表示走査が終了すると、ゲートドライバ１４―１へＶＯＥ＿ｂの供給を開始し、黒画像表示走査を開始するタイミングにＶＳＰ＿ｂをゲートドライバ１４―１へ出力する。
【００７８】
さらに、タイミングコントローラ２０は、黒挿入駆動制御部２４による黒表示用スタートパルス（ＶＳＰ＿ｂ）出力のタイミングを動作環境に応じて設定する黒挿入率設定部２２を備えている。
【００７９】
黒挿入率設定部２２は、入力信号を参照し黒画像挿入率を判定する機能を含む。黒挿入率設定部２２は、判定された黒画像挿入率に対応して黒挿入駆動制御部２４によるＶＳＰ＿ｂ出力のタイミングを設定する機能を含む。
【００８０】
例えば、黒挿入率設定部２２は、使用者の趣向により選択された設定情報を基に黒挿入率を決定する判定部を含む構成とすることも可能であるし、１フレーム毎に順次入力される入力映像信号の特徴値を算出し、当該一のフレームの特徴値と前のフレームの特徴値とを比較して、最適な黒画像挿入率を判定する判定部を含んで構成することも可能である。
【００８１】
これにより、表示パネル１０の駆動方式や使用状況等に適したフレーム期間毎の黒画像挿入率を判定し、この判定された黒画像挿入率を実現できるＶＳＰ＿ｂ出力のタイミングを設定することができる。また、ここで設定するタイミングは、１つのゲートドライバで映像信号書込みと黒画像信号書込みの画素ラインが同時に選択されることのないタイミングである。
【００８２】
ゲートドライバ１４―１は、黒挿入率設定部２２で設定されたタイミングに黒挿入駆動制御部２４からＶＳＰ＿ｂを入力し、予め供給されているＶＯＥ＿ｂに基づいてＶＳＰ＿ｂを黒表示用ゲートオン信号としてゲート線Ｖ１〜Ｖｊへ順次供給し、この走査が終了するとＶＳＰ＿ｂをゲートドライバ１４―２へシフト出力する。このような走査をゲートドライバ１４（１４―１〜１４―ｉ）が順次行うことで、黒挿入率設定部２２で判定された１フレーム毎の黒画像挿入率を実現する。
【００８３】
また、黒挿入駆動制御部２４は、ソースドライバ１４に対して黒挿入映像信号（ｄａｔａ）と共に、ソースドライバ１６を駆動制御するための信号である信号スタートパルス（ＨＳＰ）、水平クロック信号（ＨＣＫ）、ラッチ信号（ＤＬＰ）、極性反転制御信号（ＰＯＬ）を供給し、ゲートドライバ１２―１〜１２―ｉに対してゲートドライバ１２―１〜１２―ｉを駆動制御するための信号である走査スタートパルス（ＶＳＰ＿ｉ又はＶＳＰ＿ｂ）、垂直クロック信号（ＶＣＫ）、イネーブル信号（ＶＯＥ＿ｉ又はＶＯＥ＿ｂ）を供給している。
【００８４】
ソースドライバ１６は、一般に使われているものと同様な機能を有している。例えば、ＨＳＰの入力によりｄａｔａ信号の取り込みを開始し、ＨＣＫと同期して内部のシフトレジスタにｄａｔａ信号を順次蓄積していく。そして、ＤＬＰの入力によりｄａｔａ信号を確定し、同時にＰＯＬに応じて基準電圧からの正負を確定して、ｄａｔａ信号に応じた階調電圧をソース線Ｈ１〜Ｈｎに出力する。
【００８５】
極性反転制御信号（ＰＯＬ）は、ソースドライバ１６からソース線Ｈ１〜Ｈｎへ出力される階調電圧の極性（基準電圧からの正負）を確定させる制御信号である。黒挿入駆動制御部２４は、ＰＯＬを制御して、ドット反転や１Ｈ２Ｖ反転駆動などのフレーム極性反転駆動を実行し、ライン画像部分の書込み極性はＶＳＰ＿ｉ基点のフレーム周期で反転させ、黒画像部分の書込み極性はＶＳＰ＿ｂ基点のフレーム周期で反転させる機能を含む。
【００８６】
（コントローラの全体の概略動作）
以上のような構成からなる液晶表示装置１は、概略以下のように動作する。すなわち、コントローラ２０に映像信号が入力されると、黒挿入率設定部２２は、フレーム毎のデータ数に応じて映像信号の黒挿入率を設定する。
【００８７】
また、第１のオーバーシュート駆動制御部３４は、入力される映像信号と、黒挿入率設定部２２にて設定された黒挿入率に基づいて、第１ＬＵＴ部３２に含まれる黒挿入率に対応したテーブルを選択参照し、映像信号の階調値を補正し、第１補正映像信号とする。第１のオーバーシュート駆動制御部３４にて補正された第１補正映像信号は、第２のオーバーシュート部４０に入力される。
【００８８】
第２のオーバーシュート部４０では、第１補正映像信号をさらに補正し第２補正映像信号とする。具体的には、フレームメモリ通信制御部４４は、ＦＭ部４２に前フレームの第１補正映像信号を一時記憶する。
【００８９】
第２のオーバーシュート駆動制御部４８は、この一時記憶された前フレームの第１補正映像信号と、フレームメモリ通信制御部４４を介して入力される現フレームの第１補正映像信号とを比較するとともに、黒挿入率設定部２２にて設定された黒挿入率に基づいて、第２ＬＵＴ部４６に含まれる黒挿入率に対応したテーブルを選択参照し、前記第１補正映像信号の階調値を補正し、第２補正映像信号とする。
【００９０】
この際、ＦＲＣ部２６にて特定の中間階調が生成されて多階調化が行われる場合には、第２のオーバーシュート駆動制御部４８は、多階調化される階調数に応じた最適なテーブルを選択し、第２補正映像信号の階調値を設定することができる。
【００９１】
黒挿入駆動制御部２４により、映像信号（第２補正映像信号）に単色画像信号（黒画像信号）を挿入する。すなわち、黒挿入駆動制御部２４は、前記映像信号の書込期間に対応する映像表示部分と前記黒画像信号の書込期間に対応する黒表示部分とが特定期間内に交互に含まれた黒挿入映像信号を生成する。
【００９２】
黒挿入駆動制御部２４は、黒挿入映像信号に基づいて、映像表示の階調値に対応する第１の階調電圧を前記特定期間の第１の期間に表示パネルに供給し、前記黒表示の階調値に対応する第２の階調電圧を前記特定期間の前記第１の期間に連続する第２の期間に液晶表示パネル１０に供給して、液晶表示パネル１０の表示駆動制御を行う。
【００９３】
ここで、黒挿入駆動において、第１、第２のオーバーシュート駆動を行う場合に、輝度が如何なる変化をするかについて、図６乃至図８を用いて説明する。図６乃至図８は、応答速度が比較的遅い液晶表示パネルに黒挿入駆動を適用した場合の例を示す。
【００９４】
黒挿入駆動は、映像表示の間に黒表示を行う駆動であり、パネル書き込み周波数は倍増し、液晶の保持時間が減少する。このため、図７に示すように、応答の遅いパネルでは、図６に示す通常駆動の場合に比して、映像表示において輝度が目標輝度に到達しない。したがって、図７では、図６の通常駆動の場合の輝度に比して、輝度が大きく低下する。
これに対して、本実施の形態の第１のオーバーシュート駆動では、図８に示すように、黒表示の後の映像表示の階調値に第１の補正することによって、映像信号の印加電圧を第１の階調電圧より大きい第２の階調電圧とすることができる。これにより、映像表示の応答を早め、輝度を改善できる。
【００９５】
ここで、図１２に示すように、第１のオーバーシュート駆動のみでは、応答速度が比較的遅いパネルでは、黒の沈み込みが完了しない場合、前回の映像表示の後の黒の沈み込みの差により、表示が累積的に変化し、段差状の尾引き、文字スクロールでのゴーストを引き起こす。また、段差状の尾引きや、文字スクロールでのゴーストが、映像表示の累積的な輝度変化だけでなく、黒の沈み込みの差によっても生じる。
【００９６】
このため、図１４に示すように、第２のオーバーシュート駆動を行う際に、映像信号が目標輝度に到達するレベルまでしか第２のオーバーシュート駆動をしなかった場合には、映像表示の累積的な輝度変化に起因する尾引きや、文字スクロールでのゴーストは軽減するものの、黒の沈み込みの差に起因する段差状の尾引きや、文字スクロールでのゴーストが依然として発生する。
【００９７】
よって、図１３及び図１５に示すように、第２のオーバーシュート駆動は、黒の沈み込みの差に起因する段差状の尾引きや、文字スクロールでのゴーストを、さらに軽減するために、映像表示が目標輝度より過度に推移するように補正する。
【００９８】
また、黒表示の未達によっても映像表示でゴースト状の尾引きが発生する。さらに、図１６に示すように、表示変化中と表示変化後のフレーム期間の輝度の平均値をほぼ等しくしても、前記ゴースト状の尾引きは改善しない。この理由は、ホールド型表示装置の動画尾引きは、フレーム期間幅の移動平均のため、擬似インパルス型駆動の黒表示の透過率が変化すると、黒表示の透過率変化と、映像表示の透過率変化タイミングが異なるため、ホールド型表示装置の動画尾引きは２段階に推移するためである。
【００９９】
これに対して本実施の形態では、図１７に示すように、間接的に映像表示の透過率を表示変化中のフレーム期間の液晶透過量の時間積分値が、表示変化後の時間積分値に比べ大きくなるように過度に強調することで、ゴースト状の尾引きを軽減できる。また、表示変化中の「映像表示期間」の輝度平均値が、表示変化後の１フレーム期間（映像＋黒表示期間）の輝度平均値にすることによっても、ゴースト状の尾引きを軽減できる。
【０１００】
これにより、フレームメモリ周波数の削減、黒挿入率変更が可能な構成で、比較的応答速度の遅い液晶表示パネルでも動画表示の不具合を改善できる。
【０１０１】
（処理手順について）
（全体処理について）
次に、上述のような構成を有する液晶表示装置の黒挿入駆動制御部２４において生成される制御信号による液晶表示パネルのより具体的な駆動制御手順、並びに液晶表示装置における各種の処理手順について、図１８乃至図２４を参照しつつ説明する。
先ず、本実施の形態の液晶表示装置の処理手順について、全体処理から説明し、続いて、黒挿入駆動制御処理、オーバーシュート駆動処理、ドライバ側の詳細処理について説明することとする。
【０１０２】
本実施の形態に係る液晶表示装置の駆動制御方法は、映像信号の階調値に従って映像表示を行う第１の階調電圧の映像部分と、単色画像信号の階調値に従って単色表示を行う第２の階調電圧の単色画像部分とを含む単位周期期間が繰り返される単色画像挿入映像信号を表示パネルに供給し、前記表示パネルに対して映像表示走査の任意のタイミングにて単色画像表示走査を挿入開始する単色画像挿入駆動による表示駆動制御を行うものを対象とするものである。
【０１０３】
そして、液晶表示装置の駆動制御方法は、その基本的構成として、前記第２の階調電圧から前記第１の階調電圧へ変化する際の前記表示パネルの応答遅延を考慮して、前記第１、第２の各階調電圧間の変化量が増大するように、前記映像信号の階調値に第１の補正を行う第１の補正ステップ（例えば図１８に示すステップＳ１０）と、前記映像信号の階調値が一の単位フレーム周期期間から他の単位フレーム周期期間に変化する際に、異なる各単位フレーム周期期間の各前記単色画像部分による各々の単色表示輝度の差に起因する前記映像部分の累積的な輝度到達遅延を考慮して、前記第１、第２の各階調電圧間の変化量を増大するように、前記第１の補正にて補正された前記映像信号の階調値及び前記単色画像信号の階調値のいずれか一方又は双方に第２の補正を行う第２の補正ステップ（例えば図１８に示すステップＳ１１）と、前記第１の補正又は前記第２の補正を行った前記映像部分と前記単色画像部分とを含む前記単色画像挿入映像信号、又は、前記第１の補正を行った前記映像部分と前記第２の補正を行った前記単色画像部分とを含む前記単色画像挿入映像信号を生成し、前記表示パネルの単色画像挿入駆動による表示駆動を制御する単色画像挿入駆動制御ステップ（例えば図１８に示すステップＳ１２）とを含むものである。
【０１０４】
また、前記第２の補正ステップでは、前記一の単位フレーム周期期間の映像信号の階調値に基づいて、前記他の単位フレーム周期期間の映像信号の階調値を補正し、前記第１の補正にて補正された階調値に対応する第３の階調電圧と異なる第４の階調電圧にて前記映像部分の表示駆動を可能とするものであって、表示変化中の前記他の単位フレーム周期期間における輝度の時間積分値を、表示変化後のさらに他の前記単位フレーム周期期間における輝度の時間積分値より大きくなるように、前記階調値を補正できる。この場合、前記単色画像挿入駆動制御ステップでは、前記第３の階調電圧又は前記第４の階調電圧の前記映像部分と前記第２の階調電圧の単色画像部分とを含む前記単色画像挿入映像信号に基づいて、前記単色画像挿入駆動の制御を行うことができる。
【０１０５】
また、単位フレーム周期期間における前記映像信号に対する前記単色画像信号の挿入比率を、動作環境に応じて設定可能な単色画像挿入比率設定ステップをさらに有することができる。この場合、前記第２の補正ステップでは、前記単色画像挿入率設定ステップにて設定された挿入比率に応じた階調値の補正を行う。前記第１の補正ステップでは、前記単色画像挿入率設定ステップにて設定された挿入比率に応じた階調値の補正を行う。さらに、前記第２の補正ステップでは、入力される映像信号に対して階調の解像度を増加して多階調化を行い、この多階調化された階調値にて補正を行うことができる。
【０１０６】
（黒挿入駆動制御処理）
ここで、黒挿入率を変更可能な黒挿入駆動の詳細を、図１９から図２４を参照しつつ説明する。
黒挿入率を変更可能な黒挿入駆動において、図１に示すようにゲートドライバ１４は、ゲートドライバ１４（１４―１）、ゲートドライバ１４（１４―２）のように、一括してゲート出力をイネーブルできるゲートドライバ１４を少なくとも２個以上使用する。
【０１０７】
図１９に示すとおり、ソースドライバには、映像信号のライン間に黒信号を挿入した黒挿入映像信号を入力する。次に、ソースドライバは入力された信号の順に、パネルに映像信号、黒信号を交互に出力する。
【０１０８】
図２２は、本第１の実施の形態による液晶表示装置による黒挿入駆動の一例を説明するための説明図である。
図２２に示すように、本実施の形態は、少なくとも１回の映像信号書込みのための第１のゲートドライバのスタートパルス（ＶＳＰ_ｉ）入力と、少なくとも１回の黒信号書込みのための第２のゲートドライバのスタートパルス（ＶＳＰ_b）入力を行う。
【０１０９】
映像用スタートパルス（ＶＳＰ_ｉ）は、フレームの開始に入力し、ゲートドライバのクロック（ＶＣＫ）により、画面のラインをシフトしながら、順次液晶パネルのＴＦＴのＯＮしていく。
【０１１０】
さらにこの間、各ゲートドライバには、そのゲートドライバにつながるラインが映像用スタートパルス（ＶＳＰ_ｉ）のシフトにより選択されている期間は、映像書込み用のイネーブル信号（ＶＯＥ_ｉ）を入力する。
【０１１１】
一方、黒用スタートパルス（ＶＳＰ_ｂ）は、決定した黒挿入率に従って、フレームの中盤に入力し、同じくゲートドライバのクロック（ＶＣＫ）により画面のラインをシフトしながら、順次液晶パネルのＴＦＴのＯＮしていく。
この間、各ゲートドライバには、そのゲートドライバにつながるラインが黒用スタートパルス（ＶＳＰ_ｂ）のシフトにより選択されている期間は、黒書込み用のイネーブル信号（ＶＯＥ_ｂ）を入力する。
【０１１２】
このような構成とすることで、画面表示は、図２３（Ｂ）に示すように、１フレーム間に画面を黒帯がスクロールし、黒帯の幅を変化することで黒挿入率を調整できる黒挿入駆動が実現できる。
黒用スタートパルス（ＶＳＰ_ｂ）は、図２２に示すように、１つのゲートドライバで同時に映像と黒のラインが選択されなければ、任意のタイミングで入力可能であり、ドライバの切れ目のタイミングなどの制約がない。
【０１１３】
図２０、図２１は、本実施の形態の液晶表示装置を伝搬する信号のタイミングチャートである。
【０１１４】
図２０は、ゲートドライバ１２―１に対応するゲート線Ｖ１〜Ｖｉ上の画素にライン画像信号を供給し、ゲートドライバ１２―２に対応するゲート線Ｖ（ｉ＋１）〜Ｖｊ上の画素に黒画像信号を供給する場合を例にしたタイミングチャートである。
図２１は、図２０とは逆に、ゲートドライバ１２―１に対応するゲート線Ｖ１〜Ｖｉ上の画素に黒画像信号を供給し、ゲートドライバ１２―２に対応するゲート線Ｖ（ｉ＋１）〜Ｖｊ上の画素にライン画像信号を供給する場合を例にしたタイミングチャートである。
【０１１５】
図２０に示すように、対応するゲート線Ｖ１〜Ｖｉ上の画素にライン画像信号を供給する場合のゲートドライバ１２―１には、ＶＯＥ＿ｉが入力され、これにより、ゲートドライバ１２―１からは、ゲートオン信号がソースドライバ４のライン画像信号出力期間と同一のパルス幅の映像表示用ゲートオン信号に変換されてゲート線Ｖ１〜Ｖｉに順次供給される。
【０１１６】
図２０に示すように、１Ｈ期間にゲートドライバ１のいずれかのラインに映像信号、ゲートドライバ２のいずれかのラインに黒を書込む場合は、ゲートドライバ１には、ソースドライバが黒を出力する期間、ゲートをＯＦＦする映像書き込み用のイネーブル信号（ＶＯＥ_ｉ）を入力し、ゲートドライバ２には、ソースドライバが映像を出力する期間、ゲートをＯＦＦする黒書き込み用のイネーブル信号（ＶＯＥ_ｂ）を入力する。
【０１１７】
一方で、ゲート線Ｖ（ｉ＋１）〜Ｖｊ上の画素に黒画像信号を供給する場合のゲートドライバ１２―２には、ＶＯＥ＿ｂが入力され、これにより、ゲートドライバ１２―２からは、ゲートオン信号がソースドライバ１４の黒画像信号出力期間と同一のパルス幅の黒表示用ゲートオン信号に変換されゲート線Ｖ（ｉ＋１）〜Ｖｊに順次供給される。
【０１１８】
図２１に示すように、１Ｈ期間にゲートドライバ１のいずれかのラインに黒、ゲートドライバ２のいずれかのラインに映像信号を書き込む場合は、ゲートドライバ１に黒書き込み用のイネーブル信号（ＶＯＥ_ｂ）を入力し、ゲートドライバ２に映像書き込み用のイネーブル信号（ＶＯＥ_ｉ）を入力する。
【０１１９】
このようにすることで、本第１実施形態では、１Ｈ期間（１水平走査期間）に、異なるラインに対して映像信号と黒画像信号とを書き込むことができる。
【０１２０】
（オーバーシュート駆動処理）
次に、コントローラにおけるオーバーシュート駆動処理について説明する。図１８は、本実施の形態の液晶表示装置におけるオーバーシュート駆動を行う際の駆動制御手順の一例を示すフローチャートである。ここで、本実施の形態の表示装置の駆動方法についても各工程を示して同時に説明する。
【０１２１】
まず、図１に示す黒挿入率設定部２２によって入力された映像信号を基にフレーム期間毎の黒画像挿入率が判定され設定される＜（単色画像挿入率設定ステップ）黒挿入率設定ステップ＞。
【０１２２】
次に、図１８に示すように、コントローラ２０は、第１のオーバーシュート駆動制御部により映像信号の階調値を補正する（ステップＳ１０）＜第１の階調補正ステップ＞。
【０１２３】
続いて、コントローラ２０は、第２のオーバーシュート駆動制御部により第１の階調補正ステップにて補正された映像信号の階調値を補正する（ステップＳ１１）＜第２の階調補正ステップ＞。
【０１２４】
次に、コントローラ２０は、黒挿入駆動制御部により、第２の階調補正ステップにて階調値の補正された映像信号に、黒画像信号を挿入し、黒挿入映像信号を生成する（ステップＳ１２）＜黒挿入映像信号生成ステップ＞。
【０１２５】
そして、コントローラ２０は、黒挿入駆動制御部２４により、黒挿入映像信号をソースドライバに供給し、他の制御信号をゲートドライバに供給することにより、液晶表示パネル１０において、映像表示を行う際に黒挿入駆動でのオーバーシュト駆動を行うことになる（ステップＳ１３）＜黒挿入映像信号供給ステップ＞。
【０１２６】
この際、液晶表示パネル１０の画素には、第１のオーバーシュート駆動によって第１の階調電圧より高い第３の階調電圧が印加され、第２のオーバーシュート駆動によって第３の階調電圧より高い第４の階調電圧が印加される。
【０１２７】
すなわち、黒挿入駆動制御部２４は、映像信号（入力映像信号）のライン画像部分の相互間に黒画像信号が挿入され黒挿入映像信号を生成する（黒挿入信号生成ステップ）。
【０１２８】
そして、黒挿入駆動制御部２４から各ソースドライバ１４へ黒挿入映像信号が出力されると、これに同期して各種駆動制御信号がゲートドライバ１２―１〜１２―ｉ及び各ソースドライバ１４へ出力される。  
【０１２９】
（ドライバ側の詳細処理）  
本実施の形態では、一括してゲート出力をイネーブルできるゲートドライバを複数使用し、ゲートドライバ１２―１〜１２―ｉは、黒挿入駆動制御部２４からの独立した出力イネーブル信号（ＶＯＥ＿ｉ又はＶＯＥ＿ｂ）により制御される。
【０１３０】
この際、ソースドライバ１４には、黒挿入駆動制御部２４から黒挿入映像信号が入力される。ソースドライバ１４は、入力された黒挿入映像信号に基づいてソース線Ｈ１〜Ｈｎに映像信号と黒画像信号とを交互に出力する（黒挿入映像信号供給ステップ）。
【０１３１】
図２２に示すように、ゲートドライバ１２―１には、フレームの開始を示すＶＳＰ＿ｉがＶＯＥ＿ｉと共に黒挿入駆動制御部２４から入力され（映像用スタートパルス入力工程）、このＶＳＰ＿ｉは、同様に入力されたクロック信号（ＶＣＫ）に同期してゲートオン信号としてゲート線Ｖ１〜Ｖｉをシフトしていき、各ゲート線Ｖ１〜Ｖｉ上の画素のＴＦＴ１２をＯＮにしていく。この間、ゲートドライバ５ＡにはＶＯＥ＿ｉが入力されている。
【０１３２】
続いて、ゲートドライバ１２―１での走査が終了すると、ＶＳＰ＿ｉがゲートドライバ５Ｂにシフト入力され、この入力と同時にＶＯＥ＿ｉが黒挿入駆動制御部２４からゲートドライバ１２―２に入力される。ゲートドライバ１２―２では、ＶＳＰ＿ｉがゲートオン信号として対応するゲート線Ｖ（ｉ＋１）〜Ｖｊをシフトしていき、このシフトしていく期間は、ゲートドライバ１２―２においてもＶＯＥ＿ｉが入力されている。
【０１３３】
その後、同様にして、ゲートドライバ１２―ｉにＶＳＰ＿ｉがシフト入力され、同時にＶＯＥ＿ｉが黒挿入駆動制御部２４から入力される。ゲートドライバ１２―ｉにおいてもＶＳＰ＿ｉがゲートオン信号として対応するゲート線Ｖ（ｌ＋１）〜Ｖｍをシフトしていき、このシフトしていく期間は、ＶＯＥ＿ｉが入力されている（映像走査ステップ）。また、この期間以外のゲートドライバ１２―１〜１２―ｉには、ＶＯＥ＿ｂが入力されている。
【０１３４】
また、黒挿入率設定部２２により決定されたタイミングに従って、フレーム期間内に一回、ゲートドライバ１２―１に黒挿入駆動制御部２４からのＶＳＰ＿ｂが入力され（黒表示用スタートパルス入力ステップ）、同じくゲートドライバ１２―１のクロック信号（ＶＣＫ）によりＶＳＰ＿ｂがゲートオン信号として対応するゲート線Ｖ１〜Ｖｉをシフトし各ゲート線Ｖ１〜Ｖｉ上の画素のＴＦＴをＯＮにしていく。このような黒画像表示走査の間、ゲートドライバ１２―１には、ＶＯＥ＿ｂが入力されている。
【０１３５】
ゲートドライバ１２―１での黒画像表示走査が終了すると、ＶＳＰ＿ｂがゲートドライバ１２―２にシフト入力され、ＶＳＰ＿ｂがゲートオン信号として対応するゲート線Ｖ（ｉ＋１）〜Ｖｊをシフトしていく。このシフトしている期間は、ゲートドライバ１２―２においてもＶＯＥ＿ｂが入力されている。その後、同様にして、ＶＳＰ＿ｂがゲートドライバ１２―ｉにシフト入力され、ゲートドライバ１２―ｉでの黒画像表示走査が開始される＜黒走査ステップ＞。
【０１３６】
このように本第１の実施の形態では、１フレーム期間内に１回の映像信号書込みのための映像表示用走査スタートパルス（ＶＳＰ＿ｉ）入力と、１回の黒画像信号書込みのための黒表示用走査スタートパルス（ＶＳＰ＿ｂ）入力とをゲートドライバ１２―１に対して行う。
【０１３７】
このような構成とすることで、図２３（Ｂ）に示すように、画面表示は１フレーム間に画面を黒帯がスクロールする黒画像挿入駆動が実現できる。この黒帯の幅は、映像表示用走査スタートパルス（ＶＳＰ＿ｉ）入力に対する黒表示用走査スタートパルス（ＶＳＰ＿ｂ）入力のタイミングによって決定する。
【０１３８】
さらに、黒挿入駆動制御部が、図１９に示すように、各フレーム間のブランキング期間も黒信号（単色画像信号）の書込みを行い続けることにより、画面の全ての画素で、映像信号の保持時間と黒画像信号の保持時間とが一定となり、保持時間の差による面内輝度差をなくすこともできる。
【０１３９】
ここで、ＶＳＰ＿ｂは、図２４に示す黒用ＶＳＰ設定可能範囲内のように、１つのゲートドライバで同時に映像信号と黒画像信号の画素ラインが選択されることのないタイミングであれば、任意のタイミングで入力可能であり、従来の表示装置のようなゲートドライバの切れ目のタイミングなどの制約がない。このため、黒挿入率は微細な調整が可能であり、黒画像挿入のメリットである動画ボケを改善する効果とデメリットである輝度低下のバランスとを勘案し、使用環境に応じた最適な黒挿入率を設定することができる。
【０１４０】
また、本第１実施形態では、表示パネル１がＴＮパネル、ＩＰＳパネル、ＶＡパネル、ＯＣＢパネルなど、どの液晶駆動方式であっても最適な黒挿入駆動を適用することが可能である。
【０１４１】
続いて、黒挿入駆動制御部２４がＰＯＬを制御することにより、図２２に示すように、映像信号はＶＳＰ_ｉの入力時を基点としてフレーム反転され（映像信号極性反転ステップ）、それとは独立して黒信号はＶＳＰ_ｂの入力時を基点としてフレーム反転される（黒画像信号極性反転ステップ）。
【０１４２】
このような構成とすることで、画面中央付近での反転の順序逆転を防ぐことができ、表示パネル１面内のフィールドスルーのばらつきや、印加電圧の正負のばらつきによって発生する、極性反転の切り替わるラインを境にした表示輝度差や焼きつきをなくすことができる。また、この構成は、黒挿入駆動制御部２４が黒信号反転用のカウンタを独立して装備するだけでよいので、コストアップにもならず黒挿入率の切り替えに対し柔軟な対応が可能である。
【０１４３】
また、本実施の形態では、表示装置において、各映像フレームの相互間に黒画像表示を挿入することにより動画ボケを軽減しているが、黒表示に限定するものではなく、グレーなどの中間調表示を挿入するようにしてもよい。この場合、動画ボケの改善に加え、輝度の低下も抑制できるが色度域とコントラストの低下が起こるため、それを勘案して最適な中間調挿入率を設定する構成となる。
【０１４４】
また、本実施の形態では、黒挿入率設定部２２は、入力映像信号を参照しフレーム期間毎の黒画像挿入率を判定し、判定された黒画像挿入率に対応してゲートドライバ１２―１にＶＳＰ＿ｂを入力するタイミングを設定しているが、これに限らず、黒挿入率設定部２２は、ユーザの操作等により外部入力されたタイミングデータに従って、ゲートドライバ１２―１にＶＳＰ＿ｂを入力するタイミングを設定してもよい。
【０１４５】
（効果について）
以上のように本実施の形態によれば、単色画像挿入駆動において単色画像信号を挿入する前に、映像信号の階調値を第１の補正手段により補正し、単位フレーム周期期間毎に映像信号の階調値が変化する場合には、さらに第２の補正手段により映像信号の階調値又は単色画像表示信号の階調値を補正した上で、単色画像挿入駆動を行うので、累積的な輝度の変化に起因する段差状の尾引きや、文字のスクロール表示でのゴースト状の尾引きの発生を防止できる。  
【０１４６】
また、第１のオーバーシュート駆動制御部により、以下の効果を有する。すなわち、応答速度が比較的遅いパネルに黒挿入駆動を適用した場合、図６乃至図８に示すように、黒挿入駆動は、映像表示の間に黒表示を行う駆動であり、パネル書き込み周波数は倍増し、液晶の保持時間が減少する。そのため、図７に示すように、応答の遅いパネルでは映像表示が目標に到達せず輝度が大きく低下する。これに対して、第１のオーバーシュート部による第１のオーバーシュート駆動では、黒表示の後の映像表示の階調を補正し、映像表示の応答を早め、図８に示すように、輝度を改善できる。
【０１４７】
また、第２のオーバーシュート駆動制御部では、前回の映像情報と今回の映像情報を比較し、黒挿入率設定部において定められた黒挿入率において予め設定したＬＵＴ２の設定値を元に、第２のオーバーシュート駆動を行う。
【０１４８】
このような第２のオーバーシュート駆動制御部により、以下の効果を有する。すなわち、図１２に示すように、第１のオーバーシュート駆動だけでは、応答速度が比較的遅いパネルでは、黒の沈み込みが完了しない場合、前回の映像表示の後の黒の沈み込みの差により、表示が累積的に変化し、段差状の尾引き、文字スクロールでのゴーストを引き起こす。そのため、本実施の形態では、前回のフレームの映像表示の後の黒表示の沈み込みと、今回のフレームの映像表示の後の黒表示の沈み込みの差により発生する累積的な輝度到達遅れを、今回のフレームの映像表示で補正するため、前回のフレームの映像信号から今回のフレームの映像信号を元に第２のオーバーシュート駆動を行う。
【０１４９】
また、段差状の尾引きや、文字スクロールでのゴーストが、映像表示の累積的な輝度変化だけでなく、黒の沈み込みの差によっても生じる。
このため、図１４に示すように、映像信号が目標輝度に到達するレベルに第２のオーバーシュート駆動を行うと、映像表示の累積的な輝度変化二起因する尾引きや、文字スクロールでのゴーストは軽減するものの、黒の沈み込みの差に起因する段差状の尾引きや、文字スクロールでのゴーストが発生する。
【０１５０】
よって、図１５に示すように、第２のオーバーシュート駆動は、黒の沈み込みの差に起因する段差状の尾引きや、文字スクロールでのゴーストを、さらに軽減するために、映像表示が目標輝度より過度に推移するように補正するのが好ましい。
【０１５１】
以上のように、本実施の形態では、タイミングコントローラから各ソースドライバには、前記第１のオーバーシュート駆動により、黒挿入駆動を行わない場合に比べ、黒表示の電圧値と離れるような電圧に相当する階調に、映像信号の階調を変換し、前記第２のオーバーシュート駆動により、先のフレームの映像信号と、今回のフレームの映像信号に変化があるときに、フレーム間の変化量を強調する電圧が加わるように、今回のフレームの映像信号の階調を変換し、これら変換した映像信号のライン間に、黒信号のラインを挿入した信号が入力される。
【０１５２】
これにより、各ゲートドライバ、各ソースドライバからパネルには、前述の信号に従い、前記第１のオーバーシュート駆動により、図３に示すように、黒挿入駆動を行わない場合に比べ、黒表示の電圧値と離れるように変換した映像信号の電圧が書き込まれ、前記第２のオーバーシュート駆動により、図５に示すように、先のフレームの映像信号と、今回のフレームの映像信号に変化があるときに、フレーム間の変化量を強調するような電圧に変換した今回のフレームの映像信号の電圧が書き込まれ、これら変換した映像信号のラインの電圧間に、黒信号のラインの電圧が入力される。
【０１５３】
これにより、比較的遅いパネルに黒挿入を行う場合に問題であった、輝度低下、段差状の尾引き、文字スクロールでのゴーストを改善することが可能である。
【０１５４】
このように、黒挿入駆動の黒信号が、画面全域で所定の階調であることを利用し、黒挿入で高速駆動する以前の映像信号にオーバーシュートを適用する構成としたため、オーバーシュート駆動に必要なフレームメモリの処理速度は倍増しない。
このため、メモリの数量を増やすなど、回路規模を増大させることなく黒挿入駆動にオーバーシュート駆動の適用を可能とした。
【０１５５】
また、第１の実施の形態の黒挿入駆動では、黒表示から映像表示への応答遅れを、今回のフレームの映像情報を基に補正する第１のオーバーシュート駆動を有する。これにより、必要となる階調電圧を備えたため、比較的応答速度の遅いパネルに黒挿入を行う場合に問題であった、輝度低下を抑制できる。
【０１５６】
さらに、第１の実施の形態の黒挿入駆動では、前フレームの映像表示の後の黒表示の沈み込みと、現フレームの映像表示の後の黒表示の沈み込みの差により発生する累積的な輝度到達遅れを、現フレームの映像表示で補正するため、前フレームの映像信号から現フレームの映像信号を元に補正する第２のオーバーシュート駆動をそなえる構成としている。これにより、黒挿入で高速駆動する以前の映像信号にオーバーシュートを適用する構成としたため、オーバーシュート駆動に必要なフレームメモリのアクセス周波数は倍増しない。
【０１５７】
また、メモリの数量を増やすなど、回路規模を増大させることなく黒挿入駆動にオーバーシュート駆動の適用が可能である。これにより、黒挿入へのオーバーシュート適用の実現性を高め、比較的遅いパネルに黒挿入を行う場合に問題であった、黒表示の沈み込み不足による段差状の尾引き、文字スクロールでのゴーストを改善できる。
【０１５８】
また、本実施の形態では、黒挿入率を変更できる黒挿入駆動においては、映像信号と黒信号が1Ｈ期間毎に切り替わり、黒挿入率によって黒信号が表示画面のどの画素で用いられるかが変化するために、オーバーシュートの適用が困難であったが、黒挿入で高速駆動する以前の映像信号にオーバーシュートを適用する構成としたため、簡単なロジックでオーバーシュート駆動の適用を可能とし、黒挿入駆動の実現性を高めた。
【０１５９】
また、本実施の形態は、黒挿入駆動の黒信号が、画面全域で所定の階調であることを利用し、黒挿入で倍速化される前の映像信号をフレームメモリに保存すればよい構成である。よって、関連技術の場合のような回路規模の増大を招くことなく実現可能である。
【０１６０】
さらに、本実施の形態では、黒挿入駆動の黒信号が、画面全域で所定の階調であることを利用し、黒挿入で高速駆動する以前の映像信号にオーバーシュートを適用する構成としたため、オーバーシュート駆動に必要なフレームメモリの処理速度は倍増しない。このため、メモリの数量を増やすなど、回路規模を増大させることなく黒挿入駆動にオーバーシュート駆動の適用を可能とした。
【０１６１】
また、本実施の形態では、黒表示から映像表示への応答遅れを、現フレームの映像情報を元に補正する第１のオーバーシュート駆動と、必要となる階調電圧を備えたため、比較的応答速度の遅いパネルに黒挿入を行う場合に問題であった、輝度低下を抑制し、さらに、前フレームの映像表示の後の黒表示の沈み込みと、現フレームの映像表示の後の黒表示の沈み込みの差により発生する累積的な輝度到達遅れを、現フレームの映像表示で補正するために、前フレームの映像信号から現フレームの映像信号を元に補正する第２のオーバーシュート駆動をそなえる構成としたため、比較的遅いパネルに黒挿入を行う場合に問題であった、黒表示の沈み込みの差により発生する累積的な輝度到達遅れを、映像表示を補正することで、段差状の尾引き、文字スクロールでのゴーストを改善可能とした。
【０１６２】
さらに、サブフレーム毎に黒と映像が交互に繰り返す黒フレーム挿入駆動に対してだけでなく、黒挿入率を変更可能な黒挿入駆動に対しても、簡単なロジックでオーバーシュート駆動が適用可能になり、応答速度が比較的遅いパネルでも、輝度低下、段差状の尾引き、文字のスクロールのゴースト等の改善を可能とし、黒挿入駆動の実現性を高めることができる。
【０１６３】
さらに、関連技術では、所定の階調のオーバーシュートをやらないことで、フレームメモリ周波数の削減、黒挿入率変更が可能となるが、黒表示の未達により動画表示でゴースト状の尾引きが発生してしまう。また、表示変化中と表示変化後のフレーム期間の輝度の平均値をほぼ等しくしても、前記ゴースト状の尾引きは改善しない。
この理由は、ホールド型表示装置の動画尾引きは、動画に追従する人間の目の動きが原因であり、擬似インパルス型駆動の前回のフレームの黒表示から今回のフレームの黒表示の透過率変化と、前回のフレームの映像表示から今回のフレームの映像表示の透過率変化とのタイミングの差は、人間の目では異なる位置の変化として置き換えられるためである。
【０１６４】
これに対して本実施の形態では、間接的に映像表示の透過率を表示変化中のフレーム期間の液晶透過量の時間積分値が、表示変化後の時間積分値に比べ大きくなるように過度に強調することで、ゴースト状の尾引きを軽減できる。また、表示変化中の「映像表示期間」の輝度平均値が、表示変化後の１フレーム期間（映像＋黒表示期間）の輝度平均値にすることによっても、ゴースト状の尾引きを軽減できる。
【０１６５】
これにより、フレームメモリ周波数の削減、黒挿入率変更が可能な構成で、比較的応答速度の遅い液晶表示パネルでも動画表示の不具合を改善できる。
【０１６６】
黒挿入率を任意に変更可能な黒挿入駆動において、倍速駆動を実施する前の段階で、予めオーバーシュート用の階調値補正を行うことにより、フレームメモリ周波数を低減しつつ、黒挿入率の変更が可能となる。
【０１６７】
また、映像表示の各階調において、液晶表示パネルに印加する電圧を、通常より過大に印加できるオーバシュート用電源を備えている。これにより、ノーマリーホワイトでは、白輝度を改善し、ノーマリーブラックでは、黒輝度を低減できる。
【０１６８】
さらに、階調電源を別途追加するのではなく、オーバーシュート駆動しない表示は黒のみのため、全ての表示階調電圧設定をオーバーシュート専用とし、例えば、液晶表示パネルの透過率ピーク電圧を越す電圧にまで設定を広げることができる。
【０１６９】
また、ゲートドライバ１２―１にＶＳＰ＿ｂを入力するタイミングを変えることで黒画像挿入率を変更することができ、さらにＶＳＰ＿ｂを入力しなければ黒画像挿入を行わない通常の駆動にすることも可能であり、黒画像挿入率を容易に切り替えることが可能である。よって、モニタ用途で使う時は、黒挿入を行わずにフリッカの少なく明るい画面を提供し、ＴＶなどの動画表示の場合は黒挿入を行い動画ボケの少ない画面を提供するなど、ユーザの使用状況に応じた表示を提供することが可能である。
【０１７０】
さらに、風景などの静的な画面からスポーツのように動きの激しい画面など映像のシーンによって黒画像挿入率を連続的に切り替えるなどの応用も可能である。
【０１７１】
またさらに、本実施の形態は、映像信号と黒信号が、それぞれ独立したタイミングを基点としたフレーム周期で書込み極性を反転しているので、表示パネル１面内のフィールドスルーのばらつきや、印加電圧の正負のばらつきによって発生する、極性反転の切り替わるラインを境にした表示輝度差や焼きつきを防止することができる。
【０１７２】
ホールド型表示装置において、１フレーム内に黒画像を挿入し、現フレーム画像とその前のフレームの残像との重なり認識による動画ボケを軽減して動画像の画質が向上し、１フレームに対する黒挿入率を個々の使用状況に応じて可変設定できる。すなわち、ホールド型表示装置において、動画ボケを改善する効果と輝度低下のデメリットとのバランスを勘案しながら、１フレーム期間に対する黒挿入率を微細に調整することができ、動画像の画質を向上させることができる。
【０１７３】
さらに、関連技術のように黒挿入で倍増した駆動周波数にオーバーシュート駆動を適用すると、フレームメモリとのアクセス周波数が倍増するため、実現するためには、1クロックでアクセスするデータを増やすためにメモリを複数個にするなど回路規模が増大する。  
これに対して本実施の形態の液晶表示装置では、黒挿入駆動の黒信号が、画面全域で所定の階調であることを利用し、黒挿入駆動で黒信号が挿入され倍速化される前の映像信号のみをフレームメモリに保存し、その情報を元に黒挿入駆動時のオーバーシュート駆動を行う構成とし、フレームメモリのアクセス周波数の増大を防ぐことができる。
【０１７４】
ここで、図１に示すブロック図における一部の各ブロック（例えば符号２２、２４、２６、３２、３４、４４、４８等）は、コンピュータが適宜なメモリに格納された各種プログラムを実行することにより、該プログラムにより機能化された状態を示すソフトウエアモジュール構成であってもよい。すなわち、物理的構成は例えば一又は複数のＣＰＵ（或いは一又は複数のＣＰＵと一又は複数のメモリ）等ではあるが、各部（回路・手段）によるソフトウエア構成は、プログラムの制御によってＣＰＵが発揮する複数の機能を、それぞれ複数の部（手段）による構成要素として表現したものである。ＣＰＵがプログラムによって実行されている動的状態（プログラムを構成する各手順を実行している状態）を機能表現した場合、ＣＰＵ内に各部（手段）が構成されることになる。プログラムが実行されていない静的状態にあっては、各手段の構成を実現するプログラム全体（或いは各手段の構成に含まれるプログラム各部）は、メモリなどの記憶領域に記憶されている。以上に示した各部（手段）の説明は、プログラムにより機能化されたコンピュータをプログラムの機能と共に説明したものと解釈することも出来るし、また、固有のハードウエアにより恒久的に機能化された複数の電子回路ブロックからなる装置を説明したものとも解釈することも出来る。したがって、これらの機能ブロックがハードウェアのみ、ソフトウェアのみ、またはそれらの組合せによっていろいろな形で実現でき、いずれかに限定されるものではない。
その際、上述したコントローラ２０における各部については、その機能内容をプログラム化しコンピュータに実行させる構成にしてもよい。
【０１７５】
［第２の実施の形態］
次に、本発明にかかる第２の実施の形態について、図２５乃至図３２に基づいて説明する。以下には、前記第１の実施の形態と実質的に同様の構成ないしは処理手順に関しては説明を省略し、異なる部分についてのみ述べる。図２５は、本発明の表示パネルの制御装置を液晶表示装置に適用した第２の実施の形態の一例を示すブロック図である。図２５において、図１に示す前記第１の実施の形態のと同様の構成については、同様の符号が付してある。
【０１７６】
上述の第１の実施の形態では、第２のオーバーシュート駆動により、累積的な輝度到達遅れを、映像表示の階調値を補正することにより行ったが、本実施の形態では、第３のオーバーシュート駆動により、累積的な輝度到達遅れを、単色表示の階調値を補正することにより行う構成としている。
【０１７７】
具体的には、本実施の形態の液晶表示装置１００は、黒挿入駆動において第１、第３のオーバーシュート駆動を行うことが可能なものであり、図２５に示すように、液晶表示パネル１０、この液晶表示パネル１０の画素１２を駆動するゲートドライバ１４（１４―１〜１４−ｉ）、ソースドライバ１６（１６−１、・・）、オーバーシュート駆動用のオーバーシュート電源部１８、ゲートドライバ１４及びソースドライバを制御するコントローラ１２０、映像信号の映像情報を一時記憶するＦＭ（フレームメモリ）部６２、を含んで構成される。
【０１７８】
本実施の形態の駆動手法が適する例としては、液晶表示パネル１０をＩＰＳなどのノーマリーブラックのパネルとして構成し、黒に変わり中間調を挿入する駆動を行う場合などが挙げられる。また、他の例としては、液晶表示パネル１０をＴＮ、ＶＡなどのノーマリーホワイトのパネルとして構成し、黒表示にオーバーシュート駆動を行う場合などが挙げられる。
【０１７９】
コントローラ１２０は、タイミングコントローラとしての機能を含むものであり、図２５に示すように、黒挿入率設定部２２、第１のオーバーシュート駆動制御部３４、第１のオーバーシュート駆動制御に利用される第１ＬＵＴ（ルックアップテーブル）部３２、フレームメモリ通信制御部６４、第３のオーバーシュート駆動に利用される第３ＬＵＴ部６６、第３のオーバーシュート駆動制御部６８、フレーム変調制御を行うＦＲＣ（フレームレートコントロール）部２６、映像信号に黒信号を挿入して黒挿入駆動制御を行う黒挿入駆動制御部２４を含んで構成される。
ここで、ＦＭ（フレームメモリ）部６２、フレームメモリ通信制御部６４、第３ＬＵＴ部６６、第３のオーバーシュート駆動制御部６８により第３のオーバーシュート部６０ということもできる。
【０１８０】
黒挿入率設定部２２は、１フレーム毎に順次入力される映像信号の１フレーム分の情報を一時記憶し、映像信号のうちの一のフレームの映像信号と一時記憶された１つ前のフレームの映像信号とを比較し変化したデータ数に基づいて黒画像挿入率を設定する機能を備え、黒挿入駆動制御部２４が、黒挿入率設定部２２の設定に基づいて各種信号を生成する機能を備えている。
【０１８１】
より詳細には、黒挿入率設定部２２は、現フレームデータｄａｔａ（ｎ）とその１つ前のフレームデータｄａｔａ（ｎ−１）とを比較し、変化したデータを１フレーム間カウントする。カウントした情報は例えば数フレーム間移動平均して平滑化し、閾値判別することで、静的な画像か動的な画像かを判別する機能を含むこともできる。
【０１８２】
第１のオーバーシュート駆動制御部３４には、映像信号が入力される。
第１のオーバーシュート駆動制御部３４は、黒挿入率設定部２２において定められた黒挿入率において予め設定された第１ＬＵＴ３２の設定値に基づいて、入力された映像信号の階調値を、第１のオーバーシュート駆動用の階調値に補正し、映像信号（第１補正映像信号）を第３のオーバーシュート駆動部６８に供給する。
【０１８３】
第１のオーバーシュート駆動制御部３４は、現フレームの映像情報に基づいて、黒表示（ないし所定の階調表示）から映像表示への応答遅れを補正する。この第１のオーバーシュート駆動制御部３４により、黒挿入駆動を行わない場合に比べ、映像信号を黒表示の電圧と離れるように補正した電圧値を、液晶表示パネル１０に入力することができる。この第１のオーバーシュート駆動制御部３４は、第１の階調補正手段ということもできる。
【０１８４】
第３のオーバーシュート部６０では、第１補正映像信号がフレームメモリ通信制御部４４を介してＦＭ（フレームメモリ）部６２に一時記憶され、ＦＭ部６２に一時記憶された前フレーム（ｎ―１）の映像信号（第１補正映像信号）と、第１のオーバーシュート駆動制御部３４からの現フレーム（ｎ）の映像信号（第１補正映像信号）を第３のオーバーシュート駆動制御部６８に供給する。
【０１８５】
第３のオーバーシュート部６０では、図２８、図２９に示すように、黒挿入率によって決まる映像用スタートパルス（ＶＳＰ_ｉ）を出力してから黒用スタートパルス（ＶＳＰ_ｂ）を出力する時間（Ｌ水平期間）以前の映像信号（前フレーム＜ｎ―１＞の映像信号）を、第３のオーバーシュート駆動制御部６８に送る。 
【０１８６】
第３のオーバーシュート駆動制御部６８では、黒信号に、Ｌ水平期間前の映像情報、すなわちその画素に前回書き込んだ映像情報＜前フレーム（ｎ―１）の映像信号の映像情報（階調値）＞に基づいて、黒挿入率設定部２２にて設定された黒挿入率に対応する第３ＬＵＴ部６６の設定値を参照し、第３のオーバーシュート駆動用の階調値に補正し、第３補正映像信号としてＦＲＣ部２６に供給する。
【０１８７】
第３のオーバーシュート駆動制御部６８は、前フレーム（ｎ―１）の映像信号に基づいて、前フレーム（ｎ―１）の映像信号の後の単色表示信号の階調値を補正することで、前フレーム（ｎ―１）の映像信号から所定の階調表示への沈み込みを補正する。この第３のオーバーシュート駆動制御部６８により、黒挿入駆動を行わない場合に比べ、黒信号を白表示の電圧と離れるように補正した電圧値を、液晶表示パネル１０に入力することができる。
【０１８８】
このようにして第１、第３のオーバーシュート駆動制御部３４、６８は、入力された映像信号に基づいて、黒挿入駆動時の補正量を各々決定する。
【０１８９】
第３ＬＵＴ部６６は、第３のオーバーシュート駆動制御部６８にて補正される階調値の補正値を決定するものであり、複数のＬＵＴを含む。第３ＬＵＴ部６６のＬＵＴは、入力された前フレーム（ｎ―１）の映像信号に対応するオーバーシュート補正値が事前の計測によって定めてあるものである。第３ＬＵＴ部６６のＬＵＴの一例としては、図２６、図２７に示すものが挙げられる。図２６に示すＬＵＴでは、例えば、黒信号として１６の中間調を挿入する場合であって、入力された前フレーム（ｎ―１）の映像信号の階調値が２４９階調である場合には、黒挿入時の黒信号は、１階調に変換される。
【０１９０】
また、第３ＬＵＴ部６６は、黒挿入率に応じた複数種類のＬＵＴを含む構成としている。そして、第３ＬＵＴ部６６は、黒挿入率設定部２２にて黒挿入率が変更された場合には、当該黒挿入率に対応したＬＵＴに適宜切替可能に構成してよい。これにより、黒挿入率設定部２２にて黒挿入率が変更された場合には、当該黒挿入率に対応したＬＵＴを第３のオーバーシュート駆動制御部６８にて適宜選択できる。
【０１９１】
また、オーバーシュートにより階調の分解能が不足する場合は、ＦＲＣ部２６などの多階調表示手法により多階調化を行うのが好ましい。第３ＬＵＴ部６６のＬＵＴの一例である図２７のＬＵＴでは、ＦＲＣにより１０ｂｉｔに分解能を増やした場合に、利用されるＬＵＴの例が開示されている。
【０１９２】
ＦＲＣ部２６は、フレーム変調制御を行うことで、フレーム毎に異なる階調表示を行い時間平均により特定の階調（中間階調）を擬似的に生成する。各ドットのオンとオフの時間を変化させることにより、視覚的に重なり合うドットが積分され、中間階調を表現する。このＦＲＣ部２６は多階調化手段ということもできる。
ここで、本実施の形態ではＦＲＣ２６を構成しているが、ＦＲＣ部２６がない構成であっても構わない。その場合、第３のオーバーシュート駆動制御部６８からの第３補正映像信号は、黒挿入駆動制御部２４に直接入力する。
【０１９３】
黒挿入駆動制御部２４では、映像信号（第２補正映像信号）のライン間に黒信号を挿入し、各ソースドライバに入力する。
また、黒挿入駆動制御部２４では、黒信号の挿入された映像信号と共に、黒挿入率設定部２２において設定された黒挿入率に従ったタイミングで、ドライバの制御信号を生成し、各ゲートドライバ１４、各ソースドライバ１６に入力する。
各ゲートドライバ１４、各ソースドライバ１６では、入力された制御信号に従い、階調電源１８で設定した電圧を液晶表示パネル１０に書き込む。
【０１９４】
黒挿入駆動制御部２４は、前記第３のオーバーシュート駆動制御部６８からの映像信号（第３補正映像信号）に、特定の階調表示（例えば黒）を一定の割合で挿入し高速駆動を行う。
【０１９５】
また、液晶表示パネル１０の画素１２に印加する電圧を通常より過大に印加できるオーバーシュート駆動用の階調電源１８を用いて、オーバーシュート駆動のできない階調変化を減らすことができる。
【０１９６】
図３０、図３１に、第３のオーバーシュート駆動を適用した例を示す。図３０に示すように、第１のオーバーシュート駆動だけでは、応答速度が比較的遅いパネルでは、黒の沈み込みが完了しない場合、前フレーム（ｎ―１）の映像表示の後の黒の沈み込みの差により、表示が累積的に変化し、段差状の尾引き、文字スクロールでのゴーストを引き起こす。
【０１９７】
第３のオーバーシュート駆動制御部６８は、前フレーム（ｎ―１）の映像表示（映像信号の階調値）から、前フレーム（ｎ―１）の映像表示（映像信号）の後の黒表示（単色画像信号の階調値）に補正を行う構成である。これにより、図３１に示すように、黒の沈み込みの差がなくなり、段差状の尾引き、文字スクロールでのゴーストが改善できる。
【０１９８】
ここで、第３のオーバーシュート部６０は、第２の補正手段と考えることもできる。第２の補正手段が第３のオーバーシュート部として機能する場合には、前記一の単位フレーム周期期間の映像信号の階調値に基づいて、該一の単位フレーム周期期間の映像信号の後の単色画像信号の階調値を補正し、前記第２の階調電圧と異なる第５の階調電圧にて前記単色画像部分の表示駆動を可能とするものである。この場合、前記単色画像挿入駆動制御手段は、前記第３の階調電圧の前記映像部分と前記第５の階調電圧の前記単色画像部分とを含む前記単色画像挿入映像信号に基づいて、前記単色画像挿入駆動の制御を行うものである。
【０１９９】
また、ノーマリブラックモードの液晶表示パネルの場合には、前記第２の補正手段は、前記第５の階調電圧を前記第２の階調電圧より小さくなるように前記単色画像信号の階調値を補正するものである。
【０２００】
（処理手順について）
次に、上述のような構成を有する液晶表示装置において、黒挿入駆動におけるオーバ−シュート駆動を行う際の駆動制御手順について、図３２を参照しつつ説明する。図３２は、本実施の形態の液晶表示装置におけるオーバーシュート駆動を行う際の駆動制御手順の一例を示すフローチャートである。
【０２０１】
図３２に示すように、コントローラ１２０は、第１のオーバーシュート駆動制御部により映像信号の階調値を補正する（ステップＳ２０）＜第１の階調補正ステップ＞。
【０２０２】
続いて、コントローラ１２０は、第３のオーバーシュート駆動制御部により黒画像信号の階調値を補正する（ステップＳ２１）＜第３の階調補正ステップ＞。
【０２０３】
次に、コントローラ１２０は、黒挿入駆動制御部により、階調値の補正された映像信号に、階調値の補正された黒画像信号を挿入し、黒挿入映像信号を生成する（ステップＳ２２）＜黒挿入映像信号生成ステップ＞。
【０２０４】
そして、コントローラ１２０は、黒挿入駆動制御部により、黒挿入映像信号をソースドライバに供給し、他の制御信号をゲートドライバに供給することにより、液晶表示パネル１０において、映像表示を行う際に黒挿入駆動でのオーバーシュト駆動を行うことになる（ステップＳ２３）＜黒挿入映像信号供給ステップ＞。
【０２０５】
この際、液晶表示パネル１０の画素には、第１のオーバーシュート駆動によって第１の階調電圧より高い第３の階調電圧が印加され、第３のオーバーシュート駆動によって第２の階調電圧より低い第５の階調電圧が印加される。
【０２０６】
ここで、前記ステップＳ２０の第１の階調補正ステップは、本発明にいう「第１の補正ステップ」を構成できる。また、ステップＳ２１の第３の階調補正ステップは、本発明にいう「第２の補正ステップ」を構成できる。さらに、ステップＳ２２、２３により「単色画像挿入駆動制御ステップ」を構成できる。この第２の補正ステップでは、前記一の単位フレーム周期期間の映像信号の階調値に基づいて、該一の単位フレーム周期期間の映像信号の後の単色画像信号の階調値を補正し、前記第２の階調電圧と異なる第５の階調電圧にて前記単色画像部分の表示駆動を可能とする。この場合、前記単色画像挿入駆動制御ステップでは、前記第３の階調電圧の前記映像部分と前記第５の階調電圧の前記単色画像部分とを含む前記単色画像挿入映像信号に基づいて、前記単色画像挿入駆動の制御を行うものである。
【０２０７】
以上のように本第２の実施の形態では、タイミングコントローラから各ソースドライバには、前記第１のオーバーシュート駆動により、黒挿入駆動を行わない場合に比べ、黒表示の電圧値と離れるような電圧に相当する階調に、映像信号の階調を変換し、前記第３のオーバーシュート駆動により、黒挿入駆動を行わない場合に比べ、白表示の電圧値と離れるような電圧に相当する階調に、黒信号の階調を変換し、これら変換した映像信号のライン間に黒信号のラインを挿入した信号が入力される。
【０２０８】
これにより、各ゲートドライバ、各ソースドライバからパネルには、前述の信号に従い、前記第１のオーバーシュート駆動により、図６乃至図８に示すように、黒挿入駆動を行わない場合に比べ、黒表示の電圧値と離れるように変換した映像信号の電圧が書き込まれ、前記第３のオーバーシュート駆動により、図３０、図３１に示すように、黒挿入駆動を行わない場合に比べ、白表示の電圧値と離れるように変換した黒信号の電圧が書き込まれ、これら変換した映像信号のライン間に黒信号の電圧データが入力される。
これにより、比較的遅いパネルに黒挿入を行う場合に問題であった、輝度低下、段差状の尾引き、文字スクロールでのゴーストを改善することが可能である。
【０２０９】
また、本実施の形態は、黒挿入駆動の黒信号が、画面全域で所定の階調であることを利用し、黒挿入で倍速化される前の映像信号をフレームメモリに保存すればよい構成である。よって従来の場合のような回路規模の増大を招くことなく実現可能である。
【０２１０】
また、第２の実施の形態の黒挿入駆動では、黒表示から映像表示への応答遅れを、今回のフレームの映像情報を元に補正する第１のオーバーシュート駆動と、必要となる階調電圧とを備えている。これにより、比較的応答速度の遅いパネルに黒挿入を行う場合に問題であった、輝度低下を抑制できる。
さらに、第２の実施の形態の黒挿入駆動では、映像信号から黒表示への応答遅れを、前回の映像信号だけに基づいて補正する第３のオーバーシュート駆動をそなえる構成としている。これにより、比較的応答速度の遅いパネルに黒挿入を行う場合に問題であった、黒表示の沈み込みの差により発生する累積的な輝度到達遅れを、黒表示の応答速度を補正することで防止し、この結果、段差状の尾引き、文字スクロールでのゴーストを改善できる。  
【０２１１】
また、第３のオーバーシュート駆動では、前回の映像信号から特定の階調表示への沈み込みを補正する。このため、ゴースト状の尾引きの原因である黒表示の応答未達を直接補正することができる。これにより、フレームメモリ周波数を低減しつつ、黒挿入率が変更可能な構成で、比較的応答速度が遅い液晶表示パネルでも動画表示の不具合を改善できる。  
【０２１２】
さらに、黒挿入で高速駆動する以前の映像信号にオーバーシュートを適用でき、オーバーシュート駆動に必要なフレームメモリのアクセス周波数は倍増しない。このため、メモリの数量を増やすなど、回路規模を増大させることなく黒挿入駆動にオーバーシュート駆動の適用を可能とした。
また、黒挿入へのオーバーシュート適用の実現性を高め、比較的遅いパネルに黒挿入を行う場合に問題であった、黒表示の沈み込み不足による段差状の尾引き、文字スクロールでのゴーストを改善することを可能とした。  
【０２１３】
その他の構成およびその他のステップ並びにその作用効果については、前述した第１の実施の形態の場合と同一となっている。
また、上記の説明において、上述した各ステップの動作内容および各部をプログラム化し、コンピュータに実行させてもよい。
【０２１４】
［第３の実施の形態］
次に、本発明にかかる第３の実施の形態について、図３３に基づいて説明する。以下には、前記第１及び第２の実施の形態と実質的に同様の構成ないしは処理手順に関しては説明を省略し、異なる部分についてのみ述べる。図３３は、本発明の表示パネルの制御装置を備えた液晶表示装置を放送受信装置に適用した第３の実施の形態の一例を示すブロック図である。
【０２１５】
放送受信装置２００は、図３３に示すように、上述のいずれかの実施の形態と同様の構成を有する液晶表示装置２７４を含んで構成される。
【０２１６】
放送受信装置２００は、さらに、地上波アナログ放送用のアナログチューナ２０２と、アナログチューナ２０２からの信号を復調する復調器２０４と、地上波デジタル放送用の地上デジタルチューナ２１２と、地上デジタルチューナ２１２からの信号を復調するＯＦＤＭ復調器２１４と、衛星デジタル放送用の衛星デジタルチューナ２２２と、衛星デジタルチューナ２２２からの信号を復調するＱＰＳＫ復調器２２４と、地上波デジタル放送の映像及び衛星デジタル放送の映像など例えばＭＰＥＧ−２方式などの動画像圧縮符号化方式の圧縮符号化データをデコードするＭＰＥＧデコーダ２３２と、アナログ信号を入力する第１の外部入力端子としての外部入力端子２６２と、デジタル信号を入力する第２の外部入力端子としての外部入力端子２６６と、ユーザ設定部２５２と、切り替え制御部２３４と、ＯＳＤ制御部２４２と、映像処理部２４４と、音声処理部２４６と、音声出力部２７２と、を含んで構成される。
【０２１７】
放送受信装置２００において地上波アナログ放送を受信する場合は、地上波アナログ放送受信用のアンテナに接続したアナログチューナー２０２からの信号を復調器２０４により映像信号と音声信号を分離し映像信号を生成し、切り替え制御部２３４に入力する。
【０２１８】
放送受信装置２００において地上波デジタル放送を受信する場合は、地上波デジタル放送受信用のアンテナに接続した地上デジタルチューナー２１２からの信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直行周波数分割多重）復調器２１４によりデジタル映像信号とデジタル音声信号に変換し、映像はＭＰＥＧ（Ｍｏｖｉｎｇ  Ｐｉｃｔｕｒｅ  Ｅｘｐｏｒｔ  Ｇｒｏｕｐ）デコーダ２３２で復元し、映像信号を生成し、切り替え制御部２３４に入力する。
【０２１９】
放送受信装置２００において衛星デジタル放送を受信する場合は、衛星デジタル放送受信用のアンテナに接続した衛星デジタルチューナー２２２からの信号をＱＰＳＫ（Ｑｕａｄｒａｔｕｒｅ  Ｐｈａｓｅ  Ｓｉｆｔ  Ｋｅｙｉｎｇ：四位相偏移変調）復調器２２４によりデジタル映像信号とデジタル音声信号に変換し、映像はＭＰＥＧ（Ｍｏｖｉｎｇ  Ｐｉｃｔｕｒｅ  Ｅｘｐｏｒｔ  Ｇｒｏｕｐ）デコーダ２３２で復元し、映像信号を生成し、切り替え制御部２３４に入力する。
【０２２０】
また、外部からの入力信号に対しては、アナログ入力はデジタル化し、映像信号を生成し、切り替え制御部２３４に入力し、デジタル入力は映像信号を切り替え制御部２３４に入力する。これらの入力信号は、ユーザのチャンネル設定によりユーザ設定部２５２にて切り替えられ、映像処理部２４４に送られえる。映像処理部２４４では、ＩＰ変換、スケーラ等のフォーマット変換や、明るさ、コントラスト、色等の映像調整を行い、液晶表示装置２７４に入力する。
【０２２１】
以上のように本実施の形態によれば、前記第１の実施の形態と同様の作用効果を奏することができる液晶表示装置を、このような放送受信装置に適用することで、安価で動画ぼやけの少ない画像の放送受信装置が実現可能である。
【０２２２】
ここで、上述した放送受信装置においては、アナログ放送、地上波デジタル放送、衛星デジタル放送など、多様な放送信号を受信し映像を表示する例であるが、放送信号の種類に限定されるものではない。
【０２２３】
また、上述の実施の形態にて開示された放送受信装置の図３３におけるブロック構成は、構成の一例であり、放送受信装置の表示部として上述の各実施の形態の液晶表示装置が使用されればよく、放送受信装置の構成としては、他の種々の構成（例えば、アナログ放送のみを受信する放送受信装置、地上波デジタル放送のみを受信する放送受信装置、衛星デジタル放送のみを受信する放送受信装置、本実施の形態の構成に他の機能が付加された放送受信装置など）が想定され、表示部として利用される構成は、これらの構成により限定されるものではない。
【０２２４】
また、図３３の例では、放送受信装置について示したが、上述の実施の形態の液晶表示装置を、モニタとして使用した場合でも、安価で動画ぼやけの少ない画像を実現可能である。
【０２２５】
その他の構成およびその他のステップ並びにその作用効果については、前述した第１の実施の形態の場合と同一となっている。
また、上記の説明において、上述した各ステップの動作内容および各部をプログラム化し、コンピュータに実行させてもよい。
【０２２６】
［第４の実施の形態］
次に、本発明にかかる第４の実施の形態について、図３４に基づいて説明する。以下には、前記第１の実施の形態と実質的に同様の構成ないしは処理手順に関しては説明を省略し、異なる部分についてのみ述べる。図３４は、ノーマリホワイトモードにおける液晶表示装置に、本発明の表示パネルの制御装置を適用した実施の形態の一例を説明するための説明図である。
【０２２７】
上述の第１の実施の形態では、ノーマリブラックモードの液晶表示パネルの場合の例を示したが、本実施の形態では、ノーマリホワイトモードの液晶表示パネルの場合の例を示している。
【０２２８】
具体的には、図３４に示すように、ノーマリホワイトモードの液晶表示パネルでは、前記第１の実施の形態と同様に、第１の補正手段としての第１のオーバーシュート駆動制御部により、第３の階調電圧を第１の階調電圧より小さくなるように前記映像信号の階調値を補正する（図３４のＯＳ  Ｉの部分）。ただし、このような補正を行うため第１ＬＵＴ部内のデータ構造をノーマリホワイトモードに対応した構造とする必要がある。
【０２２９】
また、第２の補正手段としての第２のオーバーシュート部により、第４の階調電圧を第３の階調電圧より小さくなるように前記映像信号の階調値を補正する（図３４のＯＳ  ＩＩの部分）。ただし、このような補正を行うため第２ＬＵＴ部内のデータ構造をノーマリホワイトモードに対応した構造とする必要がある。
【０２３０】
この第２のオーバーシュート部は、前記第１の実施の形態同様に、前単位フレーム周期期間の映像信号の階調値に基づいて、現単位フレーム周期期間の映像信号の階調値を補正し、第１の補正にて補正された階調値に対応する第３の階調電圧と異なる第４の階調電圧にて前記映像部分の表示駆動を可能とするものであって、表示変化中の現単位フレーム周期期間における輝度の時間積分値を、表示変化後の次単位フレーム周期期間における輝度の時間積分値より大きくなるように、前記階調値を補正することができる。
【０２３１】
そして、単色画像挿入駆動制御手段としての黒挿入駆動制御部により、前記第３の階調電圧又は前記第４の階調電圧の前記映像部分と前記第２の階調電圧の単色画像部分とを含む前記単色画像挿入映像信号に基づいて、前記単色画像挿入駆動の制御を行う。
【０２３２】
また、単色画像挿入映像信号による駆動によって、映像信号の階調値に従って映像表示を行う第１の階調電圧の映像部分（第１の期間）と、単色画像信号の階調値に従って単色表示を行う第２の階調電圧の単色画像部分（第２の期間）とを含む単位周期期間（特定期間）が繰り返される構造となっている。
【０２３３】
このように、ノーマリホワイトモードの液晶表示パネルにおいても、黒挿入駆動における第１、第２のオーバーシュート駆動を行うことができ、前述した実施の形態と同様の作用効果を奏することができる。
【０２３４】
その他の構成およびその他のステップ並びにその作用効果については、前述した実施の形態の場合と同一となっている。
また、上記の説明において、上述した各ステップの動作内容および各部をプログラム化し、コンピュータに実行させてもよい。
【０２３５】
［第５の実施の形態］
次に、本発明にかかる第５の実施の形態について、図３５に基づいて説明する。以下には、前記第２の実施の形態と実質的に同様の構成ないしは処理手順に関しては説明を省略し、異なる部分についてのみ述べる。図３５は、ノーマリホワイトモードにおける液晶表示装置に、本発明の表示パネルの制御装置を適用した実施の形態の一例を説明するための説明図である。
【０２３６】
上述の第２の実施の形態では、ノーマリブラックモードの液晶表示パネルの場合の例を示したが、本実施の形態では、ノーマリホワイトモードの液晶表示パネルの場合の例を示している。
【０２３７】
具体的には、図３５に示すように、ノーマリホワイトモードの液晶表示パネルでは、前記第１の実施の形態と同様に、第１の補正手段としての第１のオーバーシュート駆動制御部により、第３の階調電圧を第１の階調電圧より小さくなるように前記映像信号の階調値を補正する（図３５のＯＳ  Ｉの部分）。ただし、このような補正を行うため第１ＬＵＴ部内のデータ構造をノーマリホワイトモードに対応した構造とする必要がある。
【０２３８】
また、第２の補正手段としての第３のオーバーシュート部により、第５の階調電圧を第２の階調電圧より大きくなるように前記単色画像信号の階調値を補正する（図３５のＯＳ  ＩＩＩの部分）。ただし、このような補正を行うため第３ＬＵＴ部内のデータ構造をノーマリホワイトモードに対応した構造とする必要がある。
【０２３９】
この第３のオーバーシュート部は、前記第２の実施の形態同様に、前単位フレーム周期期間の映像信号の階調値に基づいて、該前単位フレーム周期期間の映像信号の後の単色画像信号の階調値を補正し、前記第２の階調電圧と異なる第５の階調電圧にて前記単色画像部分の表示駆動を可能とするものである。
【０２４０】
そして、単色画像挿入駆動制御手段としての黒挿入駆動制御部により、第３の階調電圧の前記映像部分と前記第５の階調電圧の前記単色画像部分とを含む前記単色画像挿入映像信号に基づいて、前記単色画像挿入駆動の制御を行う。
【０２４１】
また、単色画像挿入映像信号による駆動によって、映像信号の階調値に従って映像表示を行う第１の階調電圧の映像部分（第１の期間）と、単色画像信号の階調値に従って単色表示を行う第２の階調電圧の単色画像部分（第２の期間）とを含む単位周期期間（特定期間）が繰り返される構造となっている。
【０２４２】
このように、ノーマリホワイトモードの液晶表示パネルにおいても、黒挿入駆動における第１、第２のオーバーシュート駆動を行うことができ、前述した実施の形態と同様の作用効果を奏することができる。
【０２４３】
その他の構成およびその他のステップ並びにその作用効果については、前述した実施の形態の場合と同一となっている。
また、上記の説明において、上述した各ステップの動作内容および各部をプログラム化し、コンピュータに実行させてもよい。
【０２４４】
[その他の各種変形例]
ここで、本発明にかかる装置及び方法は、そのいくつかの特定の実施の形態に従って説明してきたが、本発明の主旨および範囲から逸脱することなく本発明の本文に記述した実施の形態に対して種々の変形が可能である。
【０２４５】
例えば、上述の実施の形態では、黒挿入率を変更可能な黒挿入駆動に対して、オーバーシュート駆動を適用したものだが、サブフレーム毎に黒と映像が交互に繰り返す黒フレーム挿入駆動に対しても同様の構成で実現可能である。
【０２４６】
さらに、上述の実施の形態では、０階調の黒信号を挿入する場合に限定されるものでなく、１６階調などの中間調階調など、所定の階調信号を挿入する場合でも実現可能である。
【０２４７】
液晶表示パネルには、幾つかの液晶駆動方式があり、ＴＮパネル，ＩＰＳパネル，ＶＡパネル，ＯＣＢパネルなど液晶駆動方式が異なれば応答特性が異なり、最適な黒挿入率も異なる。このような液晶表示パネルに応じて異なる黒挿入率を黒挿入率設定部にて設定がなされる。そして、第１、第２、第３のオーバーシュートでは、このような異なる黒挿入率に応じて第１ＬＵＴ部、第２ＬＵＴ部、第３ＬＵＴ部の各々のＬＵＴが選択制御され、液晶表示パネルに応じたオーバーシュートが可能である。
【０２４８】
また、上述の実施の形態では、黒挿入率を変更可能な黒挿入駆動に対して、オーバーシュート駆動を適用したものだが、サブフレーム毎に黒と映像が交互に繰り返す黒フレーム挿入駆動に対しても同様の構成で実現可能である。    
【０２４９】
さらに、上述の実施の形態では、第２のオーバーシュート部による補正は、前記映像信号の階調値が一の単位フレーム周期期間から他の単位フレーム周期期間に変化する際に、主として他の単位フレーム周期期間の映像信号の階調値に対して行うものであった。これに対して第２のオーバーシュート部が、図３６に示すように、他の単位フレーム周期期間に後続する後段の単位フレーム周期期間の映像信号の階調値に対しても補正を行うことができる構成としてもよい。
【０２５０】
図３６は、本発明のその他の一実施の形態による液晶表示装置において、第１、第２のオーバーシュート駆動を行う場合の一例を説明するための説明図である。この際、第２のオーバーシュート部による補正は、他の単位フレーム周期期間の映像信号の階調値に対する補正量（ＯＳ  ＩＩ）＜第４の階調電圧＞と、後段の単位フレーム周期期間の映像信号の階調値に対する補正量（ＯＳ  ＩＩ）＜第６の階調電圧＞とで異なるように補正できるようにしてよい。
【０２５１】
これによって、図３６の下段の図に示すように、黒の沈み込みの差が各フレーム毎で段階的に生じるような場合に、変化当初のフレームにて第１、第２のオーバーシュートを行うとともに、以降のフレームでも第１、第２のオーバーシュートを行うことによって、変化当所のフレーム、後段のフレームの各輝度を、各フレーム毎の平均輝度よりも高くすることができ、段差状の尾引きやゴーストの低減に寄与できる。
【０２５２】
さらに、上述の第１の実施の形態の第１、第２のオーバーシュートと、上述の第２の実施の形態の第３のオーバーシュートを組み合わせて行うようにしてもよい。この場合、例えば、図３７に示すような印加電圧となることが想定される。図３７は、本発明のその他の一実施の形態による液晶表示装置において、第１、第２、第３のオーバーシュート駆動を行う場合の一例を説明するための説明図である。すなわち、図３７に示すように、前記映像信号の階調値が一の単位フレーム周期期間から他の単位フレーム周期期間に変化する際に、他の単位フレーム周期期間の映像信号に対しては第１、第２のオーバーシュートによる補正を行う（ＯＳ  Ｉ、ＯＳ  ＩＩ）。また、各々の単位フレーム周期期間の映像信号に対しては第１のオーバーシュートによる補正を行い（ＯＳ  Ｉ）、各々の単位フレーム周期期間の黒信号（単色画像信号）に対しては第３のオーバーシュートによる補正を行う（ＯＳ  ＩＩＩ）。このようにして、第１、第２、第３のオーバーシュートを組み合わせることによって、段差状の尾引きやゴーストの低減に寄与できる。
【０２５３】
またさらに、黒挿入映像信号を生成する際には、図３８に示すように生成してもよい。
図３８は、本発明のその他の一実施の形態による液晶表示装置において、黒挿入映像信号を生成する過程の一例を説明するための説明図である。すなわち、図３８に示すように、黒挿入駆動制御部が、ブランキング期間にダミー信号の出力がある入力映像信号に黒画像信号を挿入するようにして黒挿入映像信号を生成する場合であってもよい。一般に、映像信号は、ブランキング期間にダミー信号の出力があったり、何も出力がなかったりと様々な手法がある。
【０２５４】
また、上述の実施の形態では、黒挿入駆動制御部によって生成された黒挿入画像信号をソースドライバ１６が入力しソース線Ｈ１〜Ｈｎへ倍速駆動で出力するように構成した。これに限らず、図３９に示すようにしてもよい。図３９は、本発明のその他の一実施の形態による液晶表示装置において、黒挿入映像信号を生成する過程の他の一例を説明するための説明図である。すなわち、ソースドライバ１６が、ソース線Ｈ１〜Ｈｎへの出力電荷を黒表示に応じた階調電荷にする機能を備える。そして、図３９に示すように、一定の間隔で出力電荷を黒表示に応じた階調電荷に切り替えながら入力映像信号をソース線Ｈ１〜Ｈｎへ出力するように構成してもよい。このようにすると、黒画像挿入に必要であるラインメモリが削減でき、黒画像挿入に伴うソースドライバ１６の駆動周波数の倍増を行わなくてよい。
【０２５５】
さらに、上述の実施の形態におけるＰＯＬ信号の一例を、ドット反転駆動とすることもできる。図４０は、コントローラにおいてＰＯＬ信号の一例を、ドット反転駆動の場合を例にして説明するタイミングチャートである。例えば、ＰＯＬがｈｉｇｈのときは、奇数番目のソース線Ｈ１，Ｈ３，Ｈ５，Ｈ７、・・・に正側電圧、遇数番目のソース線Ｈ２，Ｈ４，Ｈ６，Ｈ８、・・・に負側電圧を出力し、ＰＯＬがｌｏｗのときは、ソース線Ｈ１，Ｈ３，Ｈ５，Ｈ７、・・・に負側電圧、ソース線Ｈ２，Ｈ４，Ｈ６，Ｈ８、・・・に正側電圧を出力するような機能をソースドライバ１６が備えているとする。
【０２５６】
黒挿入駆動制御部２４は、ＶＳＰ＿ｉ周期の１ｂｉｔフレームカウンタにより、ＶＳＰ＿ｉ基点の０〜１フレームをカウントし、同時にＶＳＰ＿ｉからＤＬＰ周期の２ｂｉｔラインカウンタにより、０〜３をカウントする。そして、０フレームでは、ラインカウンタ＝２のときにＬｏｗ、１フレームではラインカウンタ＝０のときにＬｏｗ、それ以外はｈｉｇｈとなるような内部信号（ＰＯＬ＿ｉ）を生成する。
【０２５７】
黒挿入駆動制御部２４は、一方で、内蔵されたＶＳＰ＿ｂ周期の１ｂｉｔフレームカウンタにより、ＶＳＰ＿ｂ基点の０〜１フレームをカウントし、同時にＶＳＰ＿ｂからＤＬＰ周期の２ｂｉｔラインカウンタにより、０〜３をカウントする。そして、０フレームではラインカウンタ＝２のときにＬｏｗ、１フレームではラインカウンタ＝０のときにＬｏｗ、それ以外はｈｉｇｈとなるような内部信号（ＰＯＬ＿ｂ）を生成する。
【０２５８】
黒挿入駆動制御部２４は、最終的に内部信号（ＰＯＬ＿ｉ）と内部信号（ＰＯＬ＿ｂ）のＡＮＤとなるＰＯＬをソースドライバ１４へ出力する。ソースドライバ１４は、図４０に示すようなＰＯＬを入力することで、ライン画像部分の書込み極性はＶＳＰ＿ｉ基点のフレーム周期で反転し、黒画像部分の書込み極性はＶＳＰ＿ｂ基点のフレーム周期で反転するドット反転駆動を実行する。
【０２５９】
このような構成にすると、黒挿入駆動制御部２４が黒信号反転用のフレームカウンタ及びラインカウンタを独立して内蔵するだけで、映像信号と黒信号とがそれぞれ独立したタイミングを基点としたフレーム周期で極性を反転させることができる。
【０２６０】
以上のように、黒挿入駆動制御部２４は、ＰＯＬを制御することで、映像信号に応じた画素への印加電圧極性を映像表示走査開始時を基点としたフレーム周期で反転させ、黒画像信号に応じた画素への印加電圧極性を黒画像表示走査開始時を基点としたフレーム周期で反転させるフレーム極性反転手段として機能する。これにより、液晶へ直流電圧が印加されることを防止している。
【０２６１】
さらに、液晶表示装置が、図４１に示すように、前述した第１の実施の形態と同様の構成に加えて、液晶表示パネル１０のユーザから見て背面にバックライト１９を設置する構成としてもよい。そして、黒挿入率設定部２２が、１フレーム毎に順次入力される入力映像信号の１フレーム分の情報を一時記憶し、入力映像信号のうちの一のフレームの映像信号と一時記憶された１つ前のフレームの映像信号とを比較し変化したデータ数に基づいて黒画像挿入率とバックライトの調光輝度とを判定する機能を備え、黒挿入駆動制御部２４が、黒挿入率設定部２２の判定に基づいてバックライト１９の調光輝度を調節する機能を備えるようにしてもよい。
【０２６２】
また、第１の実施の形態と同様に、黒挿入率設定部２２により決定されたタイミングに従ってゲートドライバ１４（１４―１）に、黒挿入駆動制御部２４からのＶＳＰ＿ｂが入力され、黒挿入駆動制御部２４が、ＰＯＬを制御することにより、映像信号は、ＶＳＰ_ｉの入力時を基点としてフレーム反転され、それとは独立して黒信号は、ＶＳＰ_ｂの入力時を基点としてフレーム反転される。
【０２６３】
図４２は、このような液晶表示装置における黒挿入率設定部２２の動作を示すフローチャートである。黒挿入率設定部２２は、現フレームデータｄａｔａ（ｎ）とその１つ前のフレームデータｄａｔａ（ｎ−１）とを比較し、変化したデータを１フレーム間カウントする（図４２：ステップＳ９１〜Ｓ９３）。カウントした情報は例えば数フレーム間移動平均して平滑化し（図４２：ステップＳ９５）、閾値判別することで（図４２：ステップＳ９６）、静的な画像か動的な画像かを判別する。
【０２６４】
判別結果が静的な映像の場合は、例えば黒挿入を行わず、バックライト２１の調光輝度を５０％にし（図４２：ステップＳ９８）、動的な映像画像の場合は、例えば黒挿入率を５０％にし動画ボケを改善し、バックライト１９の調光輝度を１００％に切り替える（図４２：ステップＳ９７，黒挿入率設定ステップ）。
【０２６５】
このような構成とすることで、映像のシーンによって黒挿入率を切り替え、必要に応じ動画ボケを改善する事が可能である。黒画像挿入にあわせバックライト１９を調光する理由は、図４３に示すように、黒画像挿入は動画ボケの改善と引き換えにパネルの透過効率が下がるためである。このようにすることで、黒挿入の切り替えによる輝度の変化を防ぐとともに、黒画像挿入が不必要な静的な映像の場合、バックライト１９の調光を行うことで消費電力の低減を図ることが可能である。
【０２６６】
また、黒挿入率設定部２２の動作の別の例では、黒挿入率設定部２２が黒画像挿入率とバックライトの調光輝度とを判定する方法として以下のように行う。すなわち、図４４に示すように、一フレームを予め設定した複数のブロックに分割する。そして、図４５に示すように、任意の一ブロックの画像が前回から現在のフレームまでの間に移動した距離を算出する。この距離の算出方法は、例えば前回のフレームのブロックと、平均絶対値誤差が最小のブロック位置を木探索法等を用いて現在のフレーム内から検出し、そのブロックの移動した距離を求めればよい。算出した各ブロックの移動距離のうちの最大値と、その時の黒挿入率及びバックライト１９の調光輝度を、図４６に示す。このような構成とすることで、映像のシーンの移動に応じて黒挿入率を連続的に切り換え、動きの激しさに応じて必要最小限の黒画像挿入を行うことで、バックライトの消費電力も低減する事が可能である。
【０２６７】
また、第１、第２のオーバーシュートを行う際の階調補正においてＲＧＢ各々に応じたＬＵＴを用意してもよい。
【０２６８】
さらに、ＴＶなどで使われる解像度の場合、市場に多く出ているゲートドライバを用いると、例えばＶＡ（Ｖｉｄｅｏ  Ｇｒａｐｈｉｃｓ  Ａｒｒａｙ）ではゲートドライバを２個，ＸＧＡ（Ｅｘｔｅｎｄｅｄ  Ｇｒａｐｈｉｃｓ  Ａｒｒａｙ）やＷＸＧＡ（Ｗｉｄｅ  ＸＧＡ）ではゲートドライバを３個用いるのが一般的である。上述の実施の形態の液晶表示装置の構成においては、製品適用時にゲートドライバ数選択の自由度が増える。
【０２６９】
また、液晶表示装置は、ＤＲＡＭと画像エンコーダ機能付きフロントエンド回路からなる画像フレームメモリシステム、画像デコーダ、駆動ドライバ、フレームメモリ、電源電圧変換回路、インターフェース回路、ＤＡＣ、上述の実施の形態の表示パネルのコントローラなどで構成される周辺回路など、画像表示に必要な外部回路を、液晶表示パネルと同一ガラス基板上に形成集積化した液晶表示パネルモジュール構成とすることが好ましい。この場合、システムのＭＰＵバスラインに直結可能な構成としてよい。低温ポリシリコンＴＦＴなどにより実現可能である。  
【０２７０】
前記第１の実施の形態では、表示パネルの制御装置として、映像信号に単色画像信号を挿入した単色画像挿入映像信号を生成し、前記単色画像挿入映像信号に基づいて、表示パネルの表示駆動を制御することができる。この際、第１のオーバーシュート駆動制御手段は、前記映像信号の階調値に第１の補正をし、予め決められた前記映像信号に対する階調電圧より高い第１のオーバーシュートされた駆動電圧を前記表示パネルに供給可能とすることができる。また、第２のオーバーシュート駆動制御手段は、前記第１の補正をした階調値に第２の補正をし、前記第１のオーバーシュートでの駆動電圧より高い第２のオーバーシュートされた駆動電圧を前記表示パネルに供給可能とすることができる。さらに、単色画像挿入駆動制御手段は、前記第１の補正もしくは前記第１、第２の補正を行った階調値の映像信号に、前記単色画像信号を挿入した単色画像挿入映像信号を生成し、前記表示パネルの単色画像挿入駆動による表示駆動を制御することができる。
【０２７１】
ここで、第２のオーバーシュート駆動制御手段は、前記階調値に第２の補正をするものであってもよいし、前記第１の補正をした階調値に第２の補正をするものであってもよい。
前者の場合、単色画像挿入駆動制御手段は、前記第１の補正もしくは前記第２の補正を行った階調値の映像信号に、前記単色画像信号を挿入した単色画像挿入映像信号を生成し、前記表示パネルの単色画像挿入駆動による表示駆動を制御することができる。  
【０２７２】
前記第２の実施の形態では、表示パネルの制御装置として、映像信号に単色画像信号を挿入した単色画像挿入映像信号を生成し、前記単色画像挿入映像信号に基づいて、表示パネルの表示駆動を制御することができる。この際、第１のオーバーシュート駆動制御手段は、前記映像信号の階調値に第１の補正をし、予め決められた前記映像信号に対する階調電圧より高い第１のオーバーシュートされた駆動電圧を前記表示パネルに供給可能とすることができる。また、第３のオーバーシュート駆動制御手段は、前記単色画像信号の階調値に第３の補正をし、予め決められた前記単色画像信号に対する階調電圧より低い第３のオーバーシュートされた駆動電圧を前記表示パネルに供給可能とすることができる。
さらに、単色画像挿入駆動制御手段は、前記第１の補正の補正を行った階調値の映像信号に、前記第３の補正の補正を行った階調値の前記単色画像信号を挿入した単色画像挿入映像信号を生成し、前記表示パネルの単色画像挿入駆動による表示駆動を制御することができる。
【０２７３】
また、前記第１の実施の形態および前記第２の実施の形態は、以下のようにまとめることもできる。すなわち、表示パネルの制御装置は、映像信号に単色画像信号を挿入して、前記映像信号の階調値に対応する第１の階調電圧と前記単色画像信号の階調値に対応する第２の階調電圧とを交互に印加可能とする単色画像挿入映像信号を生成し、前記単色画像挿入映像信号を表示パネルに供給して、前記表示パネルの表示駆動制御を行うことを対象とするものである。この表示パネルの制御装置は、第１のオーバーシュート駆動制御手段と、第２のオーバーシュート駆動制御手段と、単色画像挿入駆動制御手段と、を含む構成とすることもできる。
【０２７４】
この場合、第１のオーバーシュート駆動制御手段は、各前記階調値間の変化量が増大するように、前記映像信号の階調値に第１の補正をし、予め決められた前記第１の階調電圧と異なる第１のオーバーシュートされた第３の階調電圧にて前記表示パネルの表示駆動を可能とするものである。
【０２７５】
第２のオーバーシュート駆動制御手段は、現フレームの映像表示の階調値が前フレームの映像表示の階調値から変化する際に、前フレームの映像表示の後の単色表示の階調値による第１の単色表示輝度と、現フレームの映像表示の後の単色表示の階調値による第２の単色表示輝度との差に起因する前記映像表示の累積的な輝度到達遅れを、現フレームの映像表示の階調値と単色表示の階調値との変化量が増大するように、前記映像表示又は前記単色表示のいずれか一方の階調値に第２の補正をし、前記第３の階調電圧と異なる第２のオーバーシュートされた第４の階調電圧又は前記第２の階調電圧と異なる第３のオーバーシュートされた第５の階調電圧にて前記表示パネルの表示駆動を可能とするものである。
単色画像挿入駆動制御手段は、前記第１の補正もしくは前記第１、第２の補正を行った階調値の映像信号に、前記単色画像信号を挿入した前記単色画像挿入映像信号を生成し、前記表示パネルの単色画像挿入駆動による表示駆動を制御することもできる。
【０２７６】
また、表示装置の一態様では、表示パネルと、ソース線駆動手段と、映像走査手段と、黒走査手段とを有することができる。表示パネルは、複数のゲート線及び複数のソース線がそれぞれ交差し格子状に配置されこのゲート線とソース線との交点それぞれに画素が形成された構成とすることができる。ソース線駆動手段は、ライン映像部分と黒画像部分とが交互に含まれた黒挿入映像信号を各ソース線に供給することができる。映像走査手段は、黒挿入映像信号のライン画像部分のみを画素に書き込ませる映像表示用ゲートオン信号を各ゲート線に対して順次供給し映像表示走査を実行することができる。黒走査手段は、黒挿入映像信号の黒画像部分のみを画素に書き込ませる黒表示用ゲートオン信号を各ゲート線に対して順次供給し黒表示走査を実行することができる。さらに、この黒走査手段は、１映像フレーム期間内の任意のタイミングに黒表示走査を開始することができる。
【０２７７】
このような表示装置によれば、連続する映像フレームに跨るように黒信号の書き込みを行う黒挿入駆動を実行でき、黒表示走査を開始するタイミングによって映像表示時間と黒画像の表示時間との比率（黒挿入率）を任意に設定することができる。
【０２７８】
また、表示装置の他の態様では、映像走査手段は、入力映像信号に従って表示パネルに映像を表示させるための映像表示走査を実行することができる。黒走査手段は、この映像表示走査における１映像フレーム期間内の任意のタイミングで表示パネルに黒画面を表示させるための黒表示走査を開始して実行することができる。さらに、表示装置は、フレーム極性反転手段を有することができる。フレーム極性反転手段は、映像走査手段による画素への印加電圧極性を映像表示走査開始時を基点としたフレーム周期で反転させ、黒走査手段による画素への印加電圧極性を黒画像表示走査開始時を基点としたフレーム周期で反転させることができる。
【０２７９】
このような表示装置によれば、１フレーム内に黒画像を挿入して黒挿入駆動を行う液晶表示装置において、映像信号と黒信号が、それぞれ独立したタイミングを基点としたフレーム周期で書込み極性を反転されているので、表示パネル面内のフィールドスルーのばらつきや、印加電圧の正負のばらつきによって発生する、極性反転の切り替わるラインを境にした表示輝度差や焼きつきを防止することができる。  
【０２８０】
また、上記の表示装置において、上述した黒走査手段は、映像走査手段による映像表示走査に対する黒表示走査開始のタイミングを可変制御する機能を有してもよい。このようにすると、フレーム毎の黒挿入率を任意に変えることができる。
【０２８１】
また、上記の表示装置は、黒走査手段による黒表示走査開始のタイミングを動作環境に応じて任意に設定する黒挿入率設定部を有することができる。このようにすると、フレーム毎の黒挿入率を個々の使用状況に応じてより大きい範囲から設定することができる。
【０２８２】
また、表示装置の他の態様では、表示パネルと、ソースドライバと、ゲートドライバと、駆動制御部とを有することができる。ソースドライバは、ライン画像部分と黒画像部分とが交互に含まれた黒挿入映像信号を各ソース線に供給することができる。複数のゲートドライバは、複数のゲート線を幾つかの群に分けたゲート線群それぞれに対して設けられ対応する各ゲート線にゲートオン信号を順次供給することができる。黒挿入駆動制御部は、出力イネーブル信号を各ゲートドライバへ個別に供給しゲートドライバそれぞれのゲート出力を独立して制御する機能を有することができる。さらに、黒挿入駆動制御部は、ライン画像部分書込みのための映像用スタートパルスを第１のゲートドライバへ出力する機能を有することができる。加えて、黒挿入駆動制御部は、黒画像部分書込みのための黒表示用スタートパルスを１映像フレーム期間内の任意のタイミングに第１のゲートドライバへ出力する機能を有することができる。
【０２８３】
このような表示装置によれば、複数のゲート線を幾つかに分けたゲート線群それぞれに対してゲートドライバを設け、各ゲートドライバのイネーブルを個別に制御しており、尚且つ、映像用スタートパルスとは異なるタイミングに黒表示用スタートパルスをゲートドライバに入力しているので、黒挿入駆動における映像表示時間と黒画像の表示時間との比率（以下、黒挿入率）をドライバ区切りではなく、連続的に調整することを可能とした。ゲートドライバは２個以上なら奇数個でもよいので、製品適用時にゲートドライバ選択の自由度が増し、かつ必要最小限のゲートドライバで黒挿入率を自由に設定することを可能とした。
【０２８４】
また、表示装置の他の態様では、黒挿入駆動制御部は、ライン画像部分の書込み極性を映像用スタートパルス出力時を基点としたフレーム周期で反転させ、黒画像部分の書込み極性を黒表示用スタートパルス出力時を基点としたフレーム周期で反転させる機能を含むことができる。このような表示装置によれば、複数のゲート線を幾つかに分けたゲート線群それぞれに対してゲートドライバを設け、各ゲートドライバのイネーブルを個別に制御しており、尚且つ、映像用スタートパルスとは異なるタイミングに黒表示用スタートパルスをゲートドライバに入力しているので、黒挿入駆動における映像表示時間と黒画像の表示時間との比率（黒挿入率）をドライバ区切りではなく、連続的に調整することを可能とした。また、映像信号と黒信号が、それぞれ独立したタイミングを基点としたフレーム周期で書込み極性を反転されているので、表示パネル面内のフィールドスルーのばらつきや、印加電圧の正負のばらつきによって発生する、極性反転の切り替わるラインを境にした表示輝度差や焼きつきを防止することができる。
【０２８５】
１フレーム内に黒画像を挿入して黒挿入駆動を行う表示装置において、フレーム極性反転駆動により画面の途中で黒と映像の反転の順番が変わり、パネル面内のフィールドスルーのばらつきや、印加電圧の正負のばらつきによって発生する、極性反転が切り替わるラインを境にした表示輝度差や焼きつきを防止できる。
すなわち、ホールド型表示装置において、動画ボケを改善する効果と輝度低下のデメリットとのバランスを勘案しながら、１フレーム期間に対する黒挿入率を微細に調整することができ、表示パネル面内のフィールドスルーのばらつきや、印加電圧の正負のばらつきによって発生する、極性反転の切り替わるラインを境にした表示輝度差や焼きつきを防止することができる。  
【０２８６】
また、上記の表示装置において、上述した黒挿入駆動制御部は、映像用スタートパルス出力に対する黒表示用スタートパルス出力のタイミングを可変制御する機能を備えてもよい。このようにすると、黒表示用スタートパルス出力のタイミングを変えることで、フレーム毎の黒画像挿入率を任意に変えることができる。
【０２８７】
また、上記の表示装置において、上述した黒挿入駆動制御部は、黒挿入映像信号のライン画像部分がソース線に供給されている期間のみゲートドライバのゲート出力を有効にさせる映像表示用イネーブル信号，または黒挿入映像信号の黒画像部分がソース線に供給されている期間のみゲートドライバのゲート出力を有効にさせる黒表示用イネーブル信号を各ゲートドライバへ個別に供給する機能を備えてもよい。このようにすると、各ゲートドライバに対し、映像表示走査又は黒表示走査の実行について個別に制御できる。
【０２８８】
また、上記の表示装置において、上述した各ゲートドライバは、映像表示用イネーブル信号に応じて黒挿入映像信号のライン画像部分のみを画素に書き込ませる映像表示用ゲートオン信号を対応するゲート線に供給し、黒表示用イネーブル信号に応じて黒挿入映像信号の黒画像部分のみを画素に書き込ませる黒表示用ゲートオン信号を対応するゲート線に供給する機能を備えてもよい。
このようにすると、各ゲートドライバは、映像表示走査又は黒表示走査を切り換えて実行することができる。
【０２８９】
また、上記の表示装置は、黒挿入駆動制御部による黒表示用スタートパルス出力のタイミングを動作環境に応じて任意に設定する黒挿入率設定部を備えてもよい。このようにすると、フレーム毎の黒挿入率を個々の使用状況に応じてより大きい範囲から設定することができる。
【０２９０】
また、上記の表示装置において、上述した黒挿入率設定部は、入力映像信号に基づいてフレーム期間毎の黒挿入率を判定する機能を備え、判定された黒挿入率に基づいて黒表示用スタートパルス出力のタイミングを設定してもよい。このようにすると、黒挿入率を表示映像の内容に応じて設定することができる。
【０２９１】
また、上記の表示装置において、上述した黒挿入率設定部は、１フレーム毎に順次入力される入力映像信号の１フレーム分の情報を一時記憶し、入力映像信号のうちの一のフレームの映像信号と一時記憶された１つ前のフレームの映像信号とを比較し変化したデータに基づいて黒挿入率を判定する機能を備えてもよい。このようにすると、表示映像の内容に応じて最適な黒挿入率を判定することができる。
【０２９２】
また、上記の表示装置においては、表示パネルの背面に配置されたバックライトを備えると共に、上述した黒挿入率設定部が、１フレーム毎に順次入力される入力映像信号の１フレーム分の情報を一時記憶し、入力映像信号のうちの一のフレームの映像信号と一時記憶された１つ前のフレームの映像信号とを比較し変化したデータに基づいて黒挿入率とバックライトの調光輝度とを判定する機能を備えてもよい。このようにすると、黒挿入に合わせてバックライトを調光するので、黒挿入の切り替えによる輝度の変化を防止しながら黒挿入駆動を実行できる。
【０２９３】
また、上記の表示装置において、上述した黒挿入駆動制御部は、映像用スタートパルス入力に従ってゲートオン信号を対応する各ゲート線へシフト出力するゲートドライバに対して、このシフト出力が終了するまで映像表示用イネーブル信号を供給し、それ以外のゲートドライバに対しては黒表示用イネーブル信号を供給してもよい。このようにすると、自由度の高いタイミングでのゲートドライバに対する黒表示用スタートパルス入力を可能にし、黒挿入率を連続的に調整することができる。
【０２９４】
また、上記の表示装置において、上述した黒挿入映像信号は、入力映像信号におけるブランキング期間にも黒画像信号を含むことが好ましい。このようにすると、複数の映像フレームにまたがる黒信号の書き込みに対して、フレーム間のブランキング期間も休まずに黒の書込みを行うので、表示パネル内の黒画像保持期間の差による面内輝度差をなくすことができる。
【０２９５】
また、上記の表示装置において、上述した黒挿入映像信号は、黒画像信号に代えて中間調信号を含むこともできる。このようにすると、黒挿入駆動による輝度低下を軽減することができる。
【０２９６】
次に、上述の表示装置の駆動方法においては、複数のゲート線及び複数のソース線がそれぞれ交差し格子状に配置されこのゲート線とソース線との交点それぞれに画素が形成された構成の表示パネルと、各ソース線に映像信号を供給するソースドライバと、複数のゲート線を幾つかの群に分けたゲート線群それぞれに対して設けられ各ゲート線に対してゲートオン信号を順次供給する複数のゲートドライバと、出力イネーブル信号を各ゲートドライバへ個別に供給する黒挿入駆動制御部とを備えた表示装置を対象とするものである。
【０２９７】
この表示装置の駆動方法の一態様では、黒挿入映像信号供給ステップと、映像用スタートパルス入力ステップと、映像走査ステップと、黒表示用スタートパルス入力ステップと、黒表示用スタートパルス入力ステップと、黒走査ステップとを含めることができる。
【０２９８】
黒挿入映像信号供給ステップは、ライン画像部分と黒画像部分とが交互に含まれた黒挿入映像信号をソースドライバが各ソース線へ供給開始することができる。映像用スタートパルス入力ステップは、この黒挿入映像信号供給ステップに同期して、ライン画像部分書込みのための映像用スタートパルスを駆動制御部から第１のゲートドライバが入力することができる。映像走査ステップは、黒挿入映像信号のライン画像部分のみを画素に書き込ませる映像表示用ゲートオン信号を各ゲート線に対して順次供給する映像表示走査を第１のゲートドライバから順に実行することができる。
【０２９９】
黒表示用スタートパルス入力ステップは、１映像フレーム期間内の任意のタイミングに黒画像部分書込みのための黒表示用スタートパルスを第１のゲートドライバが黒挿入駆動制御部から入力することができる。黒走査ステップは、黒挿入映像信号の黒画像部分のみを画素に書き込ませる黒表示用ゲートオン信号を各ゲート線に対して順次供給する黒画像表示走査を第１のゲートドライバから順に実行することができる。
【０３００】
また、上述した映像走査ステップでは、各ゲートドライバは、黒挿入映像信号のライン画像部分がソース線に供給されている期間のみゲートドライバのゲート出力を有効にさせる映像表示用イネーブル信号に応じて映像表示用ゲートオン信号を出力し、黒走査ステップでは、各ゲートドライバは、黒挿入映像信号の黒画像部分がソース線に供給されている期間のみゲートドライバのゲート出力を有効にさせる黒表示用イネーブル信号に応じて黒表示用ゲートオン信号を出力するようにしてもよい。
【０３０１】
また、黒挿入駆動制御部による黒表示用スタートパルス出力のタイミングを動作環境に応じて任意に設定する黒挿入率設定ステップを設けてもよい。この黒挿入率設定ステップでは、１フレーム毎に順次入力される入力映像信号の１フレーム分の情報を一時記憶し、入力映像信号のうちの一のフレームの映像信号と一時記憶された１つ前のフレームの映像信号とを比較し変化したデータに基づいて黒画像挿入率を判定し、この判定された黒挿入率に基づいて黒表示用スタートパルス出力のタイミングを設定するようにしてもよい。さらに、黒挿入率設定ステップでは、黒画像挿入率と予め表示パネルの背面に装備されたバックライトの調光輝度とを判定し、この判定に基づいて黒表示用スタートパルス出力のタイミング及びバックライトの調光輝度を設定してもよい。
【０３０２】
このような表示装置の駆動方法によれば、上記の表示装置と同様に、黒挿入率を、動画ボケを改善する効果と輝度低下のデメリットとのバランスを勘案して微細に設定することができる。
【０３０３】
次に、表示装置の駆動方法の他の態様では、黒挿入映像信号供給ステップに続いて、映像用スタートパルス入力ステップと、映像走査ステップと、黒表示用スタートパルス入力ステップと、黒走査ステップと、映像信号極性反転ステップと、黒信号極性反転ステップと、を含むことができる。
【０３０４】
この場合、黒表示用スタートパルス入力ステップでは、１映像フレーム期間内の任意のタイミングに黒画像部分書込みのための黒表示用スタートパルスを第１のゲートドライバが駆動制御部から入力することができる。また、映像信号極性反転ステップでは、ライン画像部分の書込み極性を映像用スタートパルス出力時を基点としたフレーム周期で反転させることができる。さらに、黒信号極性反転ステップでは、黒画像部分の書込み極性を黒表示用スタートパルス出力時を基点としたフレーム周期で反転させることができる。
【０３０５】
また、上述した映像走査ステップでは、各ゲートドライバは、黒挿入映像信号のライン画像部分がソース線に供給されている期間のみゲートドライバのゲート出力を有効にさせる映像表示用イネーブル信号に応じて映像表示用ゲートオン信号を出力する。そして、黒走査ステップでは、各ゲートドライバは、黒挿入映像信号の黒画像部分がソース線に供給されている期間のみゲートドライバのゲート出力を有効にさせる黒表示用イネーブル信号に応じて黒表示用ゲートオン信号を出力するようにしてもよい。
【０３０６】
さらに、黒挿入駆動制御部による黒表示用スタートパルス出力のタイミングを動作環境に応じて設定する黒挿入率設定ステップを設けることができる。またさらに、上述した黒挿入映像信号供給ステップの前に、映像信号におけるライン画像部分の相互間に黒画像信号を挿入し黒挿入映像信号としてソースドライバへ出力する黒挿入映像信号を生成することができる。
【０３０７】
このような表示装置の駆動方法によれば、上記表示装置と同様に、黒挿入率を、動画ボケを改善する効果と輝度低下のデメリットとのバランスを勘案して微細に設定することができ、表示パネル面内のフィールドスルーのばらつきや、印加電圧の正負のばらつきによって発生する、極性反転の切り替わるラインを境にした表示輝度差や焼きつきを防止することができる。
【０３０８】
（プログラム）
また、前述した実施の形態の機能を実現する本発明の表示パネルの制御装置（表示装置、液晶表示装置）の制御に用いられるソフトウエアのプログラム（制御プログラム）は、前述した各実施の形態における各種ブロック図などに示されたコントローラ内などの各部、各回路（処理部、処理手段）、機能などに対応したプログラムや、図に示すフローチャートなどに示された処理手順、処理手段、機能などに対応したプログラムや、図に示すＬＵＴなどのデータ構造を利用するプログラム、上述の各実施の形態において各々処理される各処理プログラム、本明細書で全般的に記述される方法（ステップ）、説明された処理、データ（例えば、第１ＬＵＴ部、第２ＬＵＴ部、第３ＬＵＴ部等）のデータの全体もしくは各部を含む。
すなわち、以上の説明では、本発明の実施形態を、ハードウェアとしての液晶表示装置として構築したが、これに限られるものではない。本発明の実施形態は、上述した液晶表示装置のうち制御装置たるコントローラの機能をコンピュータに実行させるプログラムとして構築してもよいものである。
【０３０９】
この場合、制御プログラムは、映像信号の階調値に従って映像表示を行う第１の階調電圧の映像部分と、単色画像信号の階調値に従って単色表示を行う第２の階調電圧の単色画像部分とを含む単位周期期間が繰り返される単色画像挿入映像信号を表示パネルに供給し、前記表示パネルに対して映像表示走査の任意のタイミングにて単色画像表示走査を挿入開始する単色画像挿入駆動による表示駆動制御を行う表示パネルの制御装置に備えられたコンピュータが実行可能な制御プログラムを対象とするものである。
【０３１０】
この制御プログラムは、前記第２の階調電圧から前記第１の階調電圧へ変化する際の前記表示パネルの応答遅延を考慮して、前記第１、第２の各階調電圧間の変化量が増大するように、前記映像信号の階調値に第１の補正を行う第１の補正機能（例えば図１に示す符号３２、３４からなる構成）と、前記映像信号の階調値が一の単位フレーム周期期間から他の単位フレーム周期期間に変化する際に、異なる各単位フレーム周期期間の各前記単色画像部分による各々の単色表示輝度の差に起因する前記映像部分の累積的な輝度到達遅延を考慮して、前記第１、第２の各階調電圧間の変化量を増大するように、前記第１の補正にて補正された前記映像信号の階調値及び前記単色画像信号の階調値のいずれか一方又は双方に第２の補正を行う第２の補正機能（例えば図１に示す符号４０や図２５に示す符号６０など）と、前記第１の補正又は前記第２の補正を行った前記映像部分と前記単色画像部分とを含む前記単色画像挿入映像信号、又は、前記第１の補正を行った前記映像部分と前記第２の補正を行った前記単色画像部分とを含む前記単色画像挿入映像信号を生成し、前記表示パネルの単色画像挿入駆動による表示駆動を制御する単色画像挿入駆動制御機能（例えば図１に示す符号２４など）と、を含む機能をコンピュータに実行させることができる。
【０３１１】
プログラムは、ソースプログラム・中間コードプログラム・実行形式プログラムなどのプログラムの形態を問わない。上述の制御プログラムを、一般のパソコンや携帯型情報端末などで動作可能なアプリケーションソフトに組み込んだものも含む。
【０３１２】
制御プログラムを供給する手法としては、電気通信回線（有線、無線を問わない）によってコンピュータと通信可能に接続された外部の機器から前記電気通信回線を通じて提供することも可能である。
【０３１３】
本発明の制御プログラムによれば、当該制御プログラムを格納するＲＯＭ等の記憶媒体から、当該制御プログラムをコンピュータ（ＣＰＵ）に読み込んで実行させれば、或いは、当該制御プログラムを、通信手段を介してコンピュータにダウンロードさせた後に実行させれば、上述した本発明に係る表示パネルの制御装置を比較的簡単に実現できる。発明の思想の具現化例として表示パネルの制御装置のソフトウェアとなる場合には、かかるソフトウェアを記憶した記憶媒体上においても当然に存在し、利用される。
【０３１４】
また、一次複製品、二次複製品などの複製段階については全く問う余地無く同等である。プログラムの供給方法として通信回線を利用して行なう場合であれば通信回線が伝送媒体となって本発明が利用されることになる。
【０３１５】
さらに、上述したコントローラにて利用される各種ＬＵＴなどのテーブルのデータ構造は、表示パネルに映像信号に応じて映像表示を行う映像表示走査における任意のタイミングにて、前記表示パネルに単色表示を行う単色画像表示走査を挿入し、前記表示パネルの駆動制御を行う制御装置に備えられたコンピュータが行う単色画像挿入駆動制御に用いられる階調補正情報のデータ構造を対象とするものである。
【０３１６】
このデータ構造は、前記単色画像信号の階調値から前記映像信号の階調値に変化する際に各階調値間の変化量が増大するように、前記映像信号の階調値を補正する第１の階調補正情報と、前記映像信号の階調値とが対応づけられた第１構造と、現フレームの映像信号の階調値と、前フレームの映像信号の階調値とが対応づけられた第２構造と、を含むことができる。
【０３１７】
この際、前記第１構造は、コンピュータが、前記映像信号の階調値を前記第１の階調補正情報に補正する前記第１の階調補正機能を実行するのに利用される。また、前記第２構造は、コンピュータが、前記現フレームの映像表示の階調値が前記前フレームの映像表示の階調値から変化する際に、各階調値間の変化量が増大するように、前記現フレームの前記映像信号について、前記第１の階調補正機能にて補正された階調値をさらに補正する第２の階調補正機能を実行するのに利用される。そして、前記第２の階調補正機能では、表示変化中の現フレーム期間における輝度の時間積分値を、表示変化後の次フレーム期間における輝度の時間積分値より大きくなるように、前記階調値を補正することができる。
【０３１８】
さらに、このデータ構造は、前回の映像信号の階調値と、単色画像信号の階調値とを対応づけた第３構造を有することができる。この際、前記第３構造は、コンピュータが、前回の映像信号の階調値に基づいて、単色画像信号の階調値を補正する第３の階調補正機能を実行するのに利用される。
【０３１９】
また、制御プログラムを、情報記録媒体に記録した構成であってもよい。情報記録媒体には、制御プログラムを含むアプリケーションプログラムが格納されており、コンピュータが当該情報記録媒体からアプリケーションプログラムを読み出し、当該アプリケーションプログラムをハードディスクにインストールすることが可能である。これにより、上述のプログラムは、磁気記録媒体、光記録媒体あるいはＲＯＭなどの情報記録媒体に記録してプログラムを提供することができる。そのようなプログラムが記録された情報記録媒体を、コンピュータにおいて使用することは、好都合な情報処理装置を構成する。
【０３２０】
プログラムを供給するための情報記録媒体としては、例えばＲＯＭ、ＲＡＭ、フラッシュメモリやＳＲＡＭ等の半導体メモリ並びに集積回路、あるいはそれらを含むＵＳＢメモリやメモリカード、光ディスク、光磁気ディスク、磁気記録媒体等を用いてよく、さらに、フレキシブルディスク、ＣＤ−ＲＯＭ、ＣＤ―Ｒ、ＣＤ―ＲＷ、ＦＤ、ＤＶＤＲＯＭ、ＨＤＤＶＤ（ＨＤＤＶＤ−Ｒ−ＳＬ＜1層＞、 ＨＤＤＶＤ−Ｒ−ＤＬ＜２層＞、ＨＤＤＶＤ−ＲＷ−ＳＬ、ＨＤＤＶＤ−ＲＷ−ＤＬ、ＨＤＤＶＤ−ＲＡＭ−ＳＬ）、ＤＶＤ±Ｒ−ＳＬ、ＤＶＤ±Ｒ−ＤＬ、ＤＶＤ±ＲＷ−ＳＬ、ＤＶＤ±ＲＷ−ＤＬ、ＤＶＤ−ＲＡＭ、Ｂｌｕ−Ｒａｙ  Ｄｉｓｋ＜登録商標＞（ＢＤ−ＲーＳＬ、ＢＤ−Ｒ−ＤＬ、ＢＤ−ＲＥ−ＳＬ、ＢＤ−ＲＥ−ＤＬ）、ＭＯ、ＺＩＰ、磁気カード、磁気テープ、ＳＤカード、メモリスティック、不揮発性メモリカード、ＩＣカード、等の可搬媒体、コンピュータシステムに内蔵されるハードディスク等の記憶装置、等に記録して構成して用いてよい。
【０３２１】
さらに「情報記録媒体」は、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
【０３２２】
また、上記プログラムは、前述した機能の一部を実現するためのものであっても良く、さらに前述した機能をコンピュータシステムにすでに記録されているプログラムとの組み合わせで実現できるものであっても良い。
【０３２３】
さらに、本明細書において、フローチャートに示されるステップは、記載された手順に従って時系列的に行われる処理はもちろん、必ずしも時系列的に処理されなくとも、並列的あるいは個別に実行される処理を含むものである。また、実装では、プログラム手順（ステップ）が実行される順序を変更することができる。さらに、実装の必要に応じて、本明細書で説明した特定の手順（ステップ）を、組み合わされた手順（ステップ）として実装、除去、追加、または再配置することができる。
【０３２４】
さらにまた、表示パネルの制御装置（コントローラ）の各手段（各部・各回路）、各機能、各ステップの手順の機能などのプログラムの機能を、専用のハードウエア（例えば専用の半導体回路等）によりその機能を達成してもよく、プログラムの全機能のうち一部の機能をハードウエアで処理し、全機能のうちさらに他の機能をソフトウエアで処理するようにしてもよい。専用のハードウエアの場合、各部を集積回路例えばＬＳＩにて形成されてもよい。これらは個別に１チップ化されても良いし、一部または全部を含むように１チップ化されても良い。また、ＬＳＩには、他の機能ブロックが含まれていても良い。また、集積回路化の手法はＬＳＩに限るものではなく、専用回路又は汎用プロセサで実現してもよい。さらには、半導体技術の進歩又は派生する別技術によりＬＳＩに置き換わる集積回路化の技術が登場すれば、当然、その技術を用いて機能ブロックの集積化を行ってもよい。
【０３２５】
ここで、上述した各実施の形態に係る表示装置は、各種の電子機器の表示部として用いることができる。電子機器の例としては、上述の実施の形態の放送受信装置などのテレビ、コンピュータなどの各種情報処理装置や、プロジェクタ、ディジタルスチルカメラ、各種機器のリモコン、各種情報通信機能を搭載した家電機器、ゲーム機器、携帯音楽プレーヤ、各種記録装置、カーナビゲーション装置、ページャ、電子手帳、電卓、ワードプロセッサ、ＰＯＳ端末、各種モバイル端末、ＰＤＡ、携帯電話機、ウエアラブル情報端末、ＰＮＤ、ＰＭＰなどのポータブル機器など各種の電気製品を含んでよい。
電子機器における表示部の用途としては、表示パネルによる画像をそのまま直視して用いる直視型と、表示パネルによる画像を光学的に拡大投射して用いる投射型とに大別することができるが、実施の形態に係る液晶表示装置は、いずれの型にも適用可能である。
【０３２６】
さらに、黒挿入駆動において第１、第２のオーバーシュートを行う手法、第１、第３のオーバーシュートを行う手法などは、必ずしも実体のある装置に限られる必要はなく、その方法としても機能することは容易に理解できる。このため、方法にかかる発明も、必ずしも実体のある装置に限らず、その方法としても有効であることに相違はない。この場合、方法を実現するための一例として表示パネルの制御装置や、表示装置、ホールド型表示装置、液晶表示装置、放送受信装置、電子機器なども含めることができる。
【０３２７】
ところで、このような表示パネルの制御装置や液晶表示装置は、単独で存在する場合もあるし、ある機器に組み込まれた状態で利用されることもあるなど、発明の思想としてはこれに限らず、各種の態様を含むものである。従って、ソフトウェアであったりハードウェアであったりするなど、適宜、変更可能である。発明の思想の具現化例として表示パネルの制御装置がソフトウェアとなる場合には、かかるソフトウェアを記憶した記憶媒体上においても当然に存在し、利用されるといわざるをえない。
【０３２８】
さらに、一部がソフトウェアであって、一部がハードウェアで実現されている場合においても発明の思想において全く異なるものではなく、一部を記憶媒体上に記憶しておいて必要に応じて適宜読み込まれるような形態のものとしてあってもよい。本発明をソフトウェアで実現する場合、ハードウェアやオペレーティングシステムを利用する構成とすることも可能であるし、これらと切り離して実現することもできる。
【０３２９】
さらに、装置における従属請求項を、方法，プログラムにおける従属請求項として装置の従属請求項に対応した構成にすることも可能である。
【０３３０】
さらに、上記各実施の形態には種々の段階が含まれており、開示される複数の構成要件における適宜な組み合わせにより種々の発明が抽出され得る。つまり、上述の各実施の形態同士、あるいはそれらのいずれかと各変形例のいずれかとの組み合わせによる例をも含むことは言うまでもない。また、実施の形態に示される全構成要件から幾つかの構成要件が削除された構成による実施の形態並びにその構成に基づく技術的範囲も発明になりうることは言うまでもない。
【０３３１】
そして、各実施の形態及びそれらの変形例を含むこれまでの記述は、本発明の理解を容易にするために、本発明の多様な実施の形態のうちの一例の開示、すなわち、何れも本発明を実施するにあたっての具体化の例を示したものに過ぎず、例証するものであり、制限するものではなく、適宜変形及び／又は変更が可能である。本発明は、その技術思想、またはその主要な特徴に基づいて、様々な形で実施することができ、各実施の形態及びその変形例によって本発明の技術的範囲が限定的に解釈されてはならないものである。
従って、上記に開示された各要素は、本発明の技術的範囲に属する全ての設計変更や均等物を含む趣旨である。
【産業上の利用可能性】
【０３３２】
本発明は、表示装置を製造する製造業、コンピュータ産業などに適用可能である。
【図面の簡単な説明】
【０３３３】
【図１】本発明の第１の実施の形態による液晶表示装置の概略構成の一例を示すブロック図である。
【図２】図１の液晶表示装置のタイミングコントローラの第１ＬＵＴ（ルックアップテーブル）のデータ構造の一例を示す説明図である。
【図３】図１の液晶表示装置のタイミングコントローラの第１ＬＵＴ（ルックアップテーブル）のデータ構造の一例を示す説明図であって、１０ｂｉｔに分解能を増やした場合の構造を示す。
【図４】図１の液晶表示装置のタイミングコントローラの第２ＬＵＴ（ルックアップテーブル）のデータ構造の一例を示す説明図である。
【図５】図１の液晶表示装置のタイミングコントローラの第２ＬＵＴ（ルックアップテーブル）のデータ構造の一例を示す説明図であって、１０ｂｉｔに分解能を増やした場合の構造を示す。
【図６】本発明の第１の実施の形態による液晶表示装置の黒挿入駆動における印加電圧および輝度の状態を説明するための図であって、通常駆動の場合を示す説明図である。
【図７】本発明の第１の実施の形態による液晶表示装置の黒挿入駆動における印加電圧および輝度の状態を説明するための図であって、応答速度が比較的遅いパネルにおける黒挿入駆動の場合を示す説明図である。
【図８】本発明の第１の実施の形態による液晶表示装置の黒挿入駆動における印加電圧および輝度の状態を説明するための図であって、黒挿入駆動に第１のオーバーシュート駆動を採用した場合を示す説明図である。
【図９】液晶表示装置における印加電圧と透過率との相関関係を示す説明図である。
【図１０】液晶表示装置の通常駆動の白電圧を用いた場合における時間（フレーム周期）に応じた透過率の変化を示す説明図である。
【図１１】液晶表示装置の黒挿入駆動の白電圧を増やした場合における時間（フレーム周期）に応じた透過率の変化を示す説明図である。
【図１２】本発明の第１の実施の形態による液晶表示装置の黒挿入駆動にて第１のオーバーシュート駆動の一例を説明するための説明図である。
【図１３】本発明の第１の実施の形態による液晶表示装置の黒挿入駆動にて第２のオーバーシュート駆動の一例を説明するための説明図である。
【図１４】本発明の第１の実施の形態による液晶表示装置の黒挿入駆動にて第２のオーバーシュート駆動の補正量の一例を説明するための説明図である。
【図１５】本発明の第１の実施の形態による液晶表示装置の黒挿入駆動にて第２のオーバーシュート駆動の補正量の一例を説明するための説明図である。
【図１６】本発明の第１の実施の形態による液晶表示装置の黒挿入駆動にて第２のオーバーシュート駆動の補正量の一例を説明するための説明図である。
【図１７】本発明の第１の実施の形態による液晶表示装置の黒挿入駆動にて第２のオーバーシュート駆動の補正量の一例を説明するための説明図である。
【図１８】本発明の第１の実施の形態による液晶表示装置の黒挿入駆動にてオーバーシュート駆動を行う際の駆動制御手順の一例を示すフローチャートである。
【図１９】本発明の第１の実施の形態による液晶表示装置において、黒挿入画像信号を生成する過程の一例を説明するための説明図である。
【図２０】本発明の第１の実施の形態による液晶表示装置による黒挿入駆動の一例を説明するための図であって、一のゲートドライバ（Ｙドライバ）のいずれかのラインに映像信号、他のゲートドライバのいずれかのラインに黒を書き込む場合を示すタイミングチャートである。
【図２１】本発明の第１の実施の形態による液晶表示装置による黒挿入駆動の一例を説明するための図であって、一のゲートドライバ（Ｙドライバ）のいずれかのラインに黒、他のゲートドライバのいずれかのラインに映像信号を書き込む場合を示すタイミングチャートである。
【図２２】本発明の第１の実施の形態による液晶表示装置による黒挿入駆動の一例を説明するための説明図である。
【図２３】本発明の第１の実施の形態による液晶表示装置による黒挿入駆動での画面表示の一例を説明するための説明図であり、同図（Ａ）は、通常駆動の場合を示す説明図、同図（Ｂ）は、黒挿入駆動の場合を示す説明図である。
【図２４】本発明の第１の実施の形態による液晶表示装置による黒挿入駆動での黒用ＶＳＰ設定可能域の一例を説明するための説明図である。
【図２５】本発明の第２の実施の形態による液晶表示装置による概略構成の一例を示すブロック図である。
【図２６】図２５の液晶表示装置のタイミングコントローラの第３ＬＵＴ（ルックアップテーブル）のデータ構造の一例を示す説明図である。
【図２７】図２５の液晶表示装置のタイミングコントローラの第３ＬＵＴ（ルックアップテーブル）のデータ構造の一例を示す説明図であって、１０ｂｉｔに分解能を増やした場合の構造を示す説明図である。
【図２８】本発明の第２の実施の形態による液晶表示装置の黒挿入駆動にて第３のオーバーシュート駆動の一例を説明するための説明図である。
【図２９】本発明の第２の実施の形態による液晶表示装置の黒挿入駆動にて第３のオーバーシュート駆動の一例を説明するためのタイミングチャートである。
【図３０】本発明の第２の実施の形態による液晶表示装置の黒挿入駆動にて第１のオーバーシュート駆動の一例を説明するための説明図である。
【図３１】本発明の第２の実施の形態による液晶表示装置の黒挿入駆動にて第３のオーバーシュート駆動の一例を説明するための説明図である。
【図３２】本発明の第２の実施の形態による液晶表示装置の黒挿入駆動にてオーバーシュート駆動を行う際の駆動制御手順の一例を示すフローチャートである。
【図３３】本発明の第３の実施の形態による放送受信装置の概略構成の一例を示すブロック図である。
【図３４】本発明の第４の実施の形態による液晶表示装置において、ノーマリホワイトモードの液晶表示パネルに第２のオーバーシュート駆動を行う場合の一例を説明するための説明図である。
【図３５】本発明の第５の実施の形態による液晶表示装置において、ノーマリホワイトモードの液晶表示パネルに第３のオーバーシュート駆動を行う場合の一例を説明するための説明図である。
【図３６】本発明のその他の一実施の形態による液晶表示装置において、第１、第２のオーバーシュート駆動を行う場合の一例を説明するための説明図である。
【図３７】本発明のその他の一実施の形態による液晶表示装置において、第１、第２、第３のオーバーシュート駆動を行う場合の一例を説明するための説明図である。
【図３８】本発明のその他の一実施の形態による液晶表示装置において、黒挿入映像信号を生成する過程の一例を説明するための説明図である。
【図３９】本発明のその他の一実施の形態による液晶表示装置において、黒挿入映像信号を生成する過程の他の一例を説明するための説明図である。
【図４０】本発明のその他の一実施の形態による液晶表示装置において、フレーム極性反転駆動の一例を示すタイミングチャートである。
【図４１】本発明のその他の一実施の形態による液晶表示装置の概略構成の一例を示すブロック図である。
【図４２】図４１の液晶表示装置において、黒挿入率設定部の動作の一例を示すフローチャートである。
【図４３】図４１の液晶表示装置において、黒挿入率と動画ボケ及び透過効率との関係特性を説明するための一例を示す説明図である。
【図４４】図４１の液晶表示装置において、黒挿入率設定部の動作を説明するための一例を示す説明図である。
【図４５】図４１の液晶表示装置において、黒挿入率設定部の動作を説明するための一例を示す説明図である。
【図４６】図４１の液晶表示装置において、黒挿入率設定部が算出した各ブロックの移動距離最大値と黒挿入率及びバックライトの調光輝度との関係特性を説明するための一例示す説明図である。
【図４７】関連技術の改善点を説明するための説明図である。
【符号の説明】
【０３３４】
１、１００  液晶表示装置
１０  液晶表示パネル
１２  画素
１４（１４―１〜１４―ｉ）  ゲートドライバ（ゲート線駆動手段）
１６  ソースドライバ（ソース線駆動手段）
１８  オーバーシュート用電源部
２０  コントローラ（表示パネルの制御装置）
２２  黒挿入率設定部
２４  黒挿入駆動制御部（単色画像挿入駆動制御手段）
２６  ＦＲＣ部
３２  第１ＬＵＴ部
３４  第１のオーバーシュート駆動制御部（第１の補正手段）
４０  第２のオーバーシュート部（第２の補正手段）
４２  ＦＭ（フレームメモリ）
４４  フレームメモリ通信制御部
４６  第２ＬＵＴ部
４８  第２のオーバーシュート駆動制御部
６０  第３のオーバーシュート部（第２の補正手段）
６６  第３ＬＵＴ部
６８  第３のオーバーシュート駆動制御部
２００  放送受信装置
【図１】
0005299741.tif 000002
【図２】
0005299741.tif 000003
【図３】
0005299741.tif 000004
【図４】
0005299741.tif 000005
【図５】
0005299741.tif 000006
【図６】
0005299741.tif 000007
【図７】
0005299741.tif 000008
【図８】
0005299741.tif 000009
【図９】
0005299741.tif 000010
【図１０】
0005299741.tif 000011
【図１１】
0005299741.tif 000012
【図１２】
0005299741.tif 000013
【図１３】
0005299741.tif 000014
【図１４】
0005299741.tif 000015
【図１５】
0005299741.tif 000016
【図１６】
0005299741.tif 000017
【図１７】
0005299741.tif 000018
【図１８】
0005299741.tif 000019
【図１９】
0005299741.tif 000020
【図２０】
0005299741.tif 000021
【図２１】
0005299741.tif 000022
【図２２】
0005299741.tif 000023
【図２３】
0005299741.tif 000024
【図２４】
0005299741.tif 000025
【図２５】
0005299741.tif 000026
【図２６】
0005299741.tif 000027
【図２７】
0005299741.tif 000028
【図２８】
0005299741.tif 000029
【図２９】
0005299741.tif 000030
【図３０】
0005299741.tif 000031
【図３１】
0005299741.tif 000032
【図３２】
0005299741.tif 000033
【図３３】
0005299741.tif 000034
【図３４】
0005299741.tif 000035
【図３５】
0005299741.tif 000036
【図３６】
0005299741.tif 000037
【図３７】
0005299741.tif 000038
【図３８】
0005299741.tif 000039
【図３９】
0005299741.tif 000040
【図４０】
0005299741.tif 000041
【図４１】
0005299741.tif 000042
【図４２】
0005299741.tif 000043
【図４３】
0005299741.tif 000044
【図４４】
0005299741.tif 000045
【図４５】
0005299741.tif 000046
【図４６】
0005299741.tif 000047
【図４７】
0005299741.tif 000048